(57)【要約】  子供を運ぶベビーカーが開示される。このベビーカーは、より容易に格納及び運搬するために折り畳みを容易にする折り畳み機構を有する。この折り畳み機構の設計上の固有の特徴は、コンパクトであること、使い勝手がよいこと、信頼性があること、及び製造コストを低減できることに向けられている。【選択図】図１
2007537911.tif 000002
【特許請求の範囲】
【請求項１】
折り畳み可能なベビーカーであって、
前輪と、
横方向に離間した左側及び右側の前輪支持体であって、該前輪支持体の各々が前方端部と後方端部とを有し、前記前輪支持体のうちの少なくとも１つの前記前方端部に前記前輪が装着され、一体として回転可能である左側及び右側前輪支持体と、
左右後輪と、
横方向に離間した左側及び右側の後輪支持体であって、該後輪支持体の各々が下方端部分と上方端部分とを有し、前記下方端部分が前記左右の後輪のうちの少なくとも１つに結合されている後輪支持体と、
横方向に離間した左側及び右側のハンドル部材であって、該ハンドル部材の各々が、前方端部とハンドル部分を備えた後方端部とを有し、一体として回転可能である左側及び右側のハンドル部材と、
横方向に離間した左側及び右側の折り畳み組立体であって、該折り畳み組立体の各々が、前記左側及び右側の後輪支持体のうちの対応する一方の上端部分により支持された枢動部材に回転可能に結合されて共通の回転軸の周りを回転する第１の回転可能部材と第２の回転可能部材とを有し、前記第１の回転可能部材が第１の歯車を備えた第１の細長い開口を有し、前記第２の回転可能部材が第２の歯車を備えた第２の細長い開口を有し、前記左側及び右側の折り畳み組立体の各々が更に、前記第１の回転可能部材と前記第２の回転可能部材がギア連動して相対的に回転するように前記第１の歯車及び前記第２の歯車と駆動係合して前記第１及び第２の細長い開口の両方に位置付けられた第３の歯車を有し、前記左側及び右側の前輪支持体のうちの対応する一方の前記後方端部が前記第１の回転可能部材に取り付けられ、前記左側及び右側のハンドル部材のうちの対応する一方の前記前方端部が前記第２の回転可能部材に取り付けられている左側及び右側の折り畳み組立体と、
を備える折り畳み可能なベビーカー。
【請求項２】
各前記左側及び右側の折り畳み組立体に関して、前記第１の歯車が前記第１の開口を定める前記第１の回転可能部材の半径方向外側縁部に形成され、前記第２の歯車が第２の開口を定める前記第２の回転可能部材の半径方向内側縁部に形成される請求項１に記載の折り畳み可能なベビーカー。
【請求項３】
前記前輪支持体が、前記折り畳み可能なベビーカーの折り畳み位置から展開位置まで第１の回転角度で回転し、前記ハンドル部材が前記折り畳み可能なベビーカーの折り畳み位置から展開位置まで前記第１の回転角度とは同じではない第２の回転角度で回転し、前記左側及び右側折り畳み組立体の各々の第１の歯車が第１のピッチ円直径を有し、前記左側及び右側折り畳み組立体の各々の第２の歯車が前記第１のピッチ円直径と同じではない第２のピッチ円直径を有し、前記第１のピッチ円直径は、前記第２のピッチ円直径に対して、前記ハンドル部材が前記第２の回転角度で回転するときに前記前輪支持体が前記第１の回転角度で回転することを可能にするような大きさにされることを特徴とする請求項１に記載の折り畳み可能なベビーカー。
【請求項４】
前記第１の歯車が第１のピッチを有し、前記第２の歯車が前記第１のピッチとは異なる第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転するように構成され、前記第３の歯車の第１の歯車部分が前記第１の歯車と駆動係合して前記第１の細長い開口に位置付けられ、前記第３の歯車の第２の歯車部分が前記第２の歯車と駆動係合して前記第２の細長い開口に位置付けられることを特徴とする請求項１に記載の折り畳み式ベビーカー。
【請求項５】
前記第１の歯車が第１のピッチを有し、前記第２の歯車が前記第１のピッチと同じ第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転し、前記第３の歯車の第１の歯車部分が前記第１の歯車と駆動係合して前記第１の細長い開口に位置付けられ、前記第３の歯車の第２の歯車部分が前記第２の歯車と駆動係合して前記第２の細長い開口に位置付けられることを特徴とする請求項１に記載の折り畳み式ベビーカー。
【請求項６】
少なくとも１つの前輪と複数の後輪と共に使用する折り畳み可能なベビーカー・フレームにおいて、
横方向に離間した左側及び右側の前輪支持体であって、該前輪支持体の各々が端部を有し、前記前輪支持体が少なくとも１つの前輪を該支持体に装着するように構成されて、一体として回転可能である左側及び右側前輪支持体と、
横方向に離間した左側及び右側の後輪支持体であって、該後輪支持体の各々が端部を有し、前記後輪支持体が各々少なくとも１つの後輪を該支持体に装着するように構成されて、一体として回転可能である左側及び右側後輪支持体と、
横方向に離間した左側及び右側のハンドル部材であって、該ハンドル部材の各々が端部を有し、前記ハンドル部材が各々ハンドル部分を有し、一体として回転可能である左側及び右側のハンドル部材と、
横方向に離間した左側及び右側の折り畳み組立体であって、該折り畳み組立体の各々が、枢動部材に回転可能に結合された第１の回転可能部材と第２の回転可能部材とを有し、前記第１の回転可能部材が第１の歯車を備えた第１の開口を有し、前記第２の回転可能部材が第２の歯車を備えた第２の開口を有し、前記左側及び右側の折り畳み組立体の各々が更に、前記第１の回転可能部材と前記第２の回転可能部材がギア連動して相対的に回転するように前記第１の歯車及び第２の歯車と駆動係合して前記第１及び第２の開口の両方に位置付けられた第３の歯車を有し、前記枢動部材が、対応する側の前記前輪支持体、後輪支持体、及びハンドル部材のうちの１つにおける前記端部によって支持されて前記第１及び第２の部材が共通の回転軸の周りを回転し、対応する側の前記前輪支持体、後輪支持体、及びハンドル部材のうちの別の１つにおける前記端部が前記第１の回転可能部材に取り付けられ、対応する側の前記前輪支持体、後輪支持体、及びハンドル部材のうちの更に別の１つにおける前記端部が前記第２の回転可能部材に取り付けられた左側及び右側の折り畳み組立体と、
を備える折り畳み可能なベビーカー・フレーム。
【請求項７】
各前記左側及び右側の折り畳み組立体に関して、前記第１の歯車が前記第１の開口を定める前記第１の回転可能部材の第１の縁部に形成され、前記第２の歯車が前記第２の開口を定める前記第２の回転可能部材の第２の縁部に形成される請求項６に記載の折り畳み可能なベビーカー・フレーム。
【請求項８】
前記第１及び第２の縁部が、互いから半径方向に離れていることを特徴とする請求項７に記載の折り畳み可能なベビーカー・フレーム。
【請求項９】
前記第１の開口及び前記第２の開口が細長であり、少なくとも部分的に重なることを特徴とする請求項８に記載の折り畳み可能なベビーカー・フレーム。
【請求項１０】
前記第１の歯車が第１のピッチ円直径を有し、前記第２の歯車が、前記第１のピッチ円直径と同じではない第２のピッチ円直径を有する請求項８に記載の折り畳み可能なベビーカー・フレーム。
【請求項１１】
前記第１の歯車の第１のピッチ円直径が、前記第１の回転可能部材に取り付けられる前記前輪支持体、後輪支持体、及びハンドル部材のうちの１つを前記折り畳み可能なベビーカー・フレームの折り畳み位置から展開位置まで第１の回転角度で回転させるような大きさにされ、前記第２の歯車の第２のピッチ円直径が、前記第２の回転可能部材に取り付けられる前記前輪支持体、後輪支持体、及びハンドル部材のうちの１つを前記折り畳み可能なベビーカー・フレームの折り畳み位置から展開位置まで前記第１の回転角度とは同じではない第２の回転角度で回転させるような大きさにされていることを特徴とする請求項１０に記載の折り畳み可能なベビーカー・フレーム。
【請求項１２】
前記第１の歯車が第１のピッチを有し、前記第２の歯車が前記第１のピッチとは異なる第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転し、前記第３の歯車の第１の歯車部分が前記第１の歯車と駆動係合して前記第１の開口に位置付けられ、前記第３の歯車の第２の歯車部分が前記第２の歯車と駆動係合して前記第２の開口に位置付けられることを特徴とする請求項６に記載の折り畳み式ベビーカー。
【請求項１３】
前輪支持体と、後輪支持体と、ハンドル部材とを有するベビーカー・フレーム用の折り畳み組立体であって、
枢動部材と、
第１の歯車を有する第１の開口を備えた第１の回転可能部材と、
第２の歯車を有する第２の開口を備えた第２の回転可能部材であって、前記第１及び第２の回転可能部材が前記枢動部材に結合されて共通の回転軸の周りを回転する第２の回転可能部材と、
前記第１の回転部材と前記第２の回転部材がギア連動して相対的に回転するように前記第１の歯車及び前記第２の歯車と駆動係合して前記第１及び第２の開口の両方に位置付けられた第３の歯車であって、前記枢動部材が、前記前輪支持体、後輪支持体、及びハンドル部材のうちの１つによって支持係合されるように構成され、前記第１の回転可能部材が、前記前輪支持体、後輪支持体、及びハンドル部材のうちの別の１つに取り付けられるように構成され、前記第２の回転可能部材が、前記前輪支持体、後輪支持体、及びハンドル部材のうちの更に別の１つに取り付けられるように構成された第３の歯車と、
を備える折り畳み組立体。
【請求項１４】
前記第１の歯車が、前記第１の開口を定める前記第１の回転部材の第１の縁部に形成され、前記第２の歯車が、前記第２の開口を定める前記第２の回転部材の第２の縁部に形成される請求項１３に記載の折り畳み組立体。
【請求項１５】
前記第１及び第２の縁部が、互いから半径方向に離れていることを特徴とする請求項１４に記載の折り畳み組立体。
【請求項１６】
前記第１の開口及び前記第２の開口が細長であり、少なくとも部分的に重なることを特徴とする請求項１４に記載の折り畳み組立体。
【請求項１７】
前記第１の歯車が第１のピッチ円直径を有し、前記第２の歯車が、前記第１のピッチ円直径と同じではない第２のピッチ円直径を有する請求項１６に記載の折り畳み組立体。
【請求項１８】
前記第１の歯車の第１のピッチ円直径は、前記第１の回転可能部材が取り付けられるように構成された前記前輪支持体、後輪支持体、及びハンドル部材のうちの１つを前記折り畳み可能なベビーカー・フレームの折り畳み位置から展開位置まで第１の回転角度で回転させるような大きさにされ、前記第２の歯車の第２のピッチ円直径は、前記第２の回転可能部材が取り付けられるように構成された前記前輪支持体、後輪支持体、及びハンドル部材のうちの１つを前記折り畳み可能なベビーカー・フレームの折り畳み位置から展開位置まで前記第１の回転角度とは同じではない第２の回転角度で回転させるような大きさにされていることを特徴とする請求項１７に記載の折り畳み組立体。
【請求項１９】
前記第１の歯車が第１のピッチを有し、前記第２の歯車が前記第１のピッチとは異なる第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転し、前記第３の歯車の第１の歯車部分が前記第１の歯車と駆動係合して前記第１の細長い開口に位置付けられ、前記第３の歯車の第２の歯車部分が前記第２の歯車と駆動係合して前記第２の細長い開口に位置付けられることを特徴とする請求項１３に記載の折り畳み式ベビーカー。
【請求項２０】
前記第１の歯車が第１のピッチを有し、前記第２の歯車が前記第１のピッチとは異なる第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転し、前記第３の歯車の第１の歯車部分が前記第１の歯車と駆動係合して前記第１の開口に位置付けられ、前記第３の歯車の第２の歯車部分が前記第２の歯車と駆動係合して前記第２の開口に位置付けられることを特徴とする請求項１３に記載の折り畳み式ベビーカー。
【請求項２１】
少なくとも１つの前輪と少なくとも１つの後輪と共に使用する折り畳み可能なベビーカー・フレームにおいて、
各々が第１の端部と第２の端部とを有する横方向に離間した左側及び右側の第１の部材と、
各々が第１の端部と第２の端部とを有する横方向に離間した左側及び右側の第２の部材と、
横方向に離間した左側及び右側の第３の部材であって、前記第３の部材の各々が第１の端部と第２の端部とを有し、前記第１の部材の第１の端部の少なくとも１つが、前記少なくとも１つの前輪を装着するように構成された装着部分を有し、前記第２の部材の第１の端部の少なくとも１つが、前記少なくとも１つの後輪を装着するように構成された装着部分を有し、前記第３の部材の第１の端部の少なくとも１つがハンドル部分を有する第３の部材と、
横方向に離間した左側及び右側の折り畳み組立体であって、該折り畳み組立体の各々が、枢動部材に回転可能に装着されて平行面で共通の軸の周りを回転する第１の回転可能プレートと第２の回転可能プレートとを有し、前記第１の回転可能プレートが第１の歯車を備えた第１の開口を有し、前記第２の回転可能プレートが第２の歯車を備えた第２の開口を有し、前記左側及び右側の折り畳み組立体の各々が更に、前記第１の回転可能プレート及び前記第２の回転可能プレートがギア連動して相対的に回転するように前記第１の歯車及び前記第２の歯車と駆動係合して前記第１及び第２の開口の両方に位置付けられた第３の歯車を有し、前記第１、第２、及び第３の部材のうちの第１のものの第２の端部の１つが前記第１の回転可能プレートに取り付けられ、前記第１、第２、及び第３の部材のうちの別の第２のものの第２の端部の１つが前記第２の回転可能プレートに取り付けられ、前記第１、第２、及び第３の部材のうちの更に別の第３のものの第２の端部の１つが前記枢動部材を支持する折り畳み組立体と、
を備える折り畳み可能なベビーカー・フレーム。
【請求項２２】
各前記左側及び右側の折り畳み組立体において、前記第１の歯車が前記第１の開口を定める前記第１の回転可能プレートの第１の縁部に形成され、前記第２の歯車が第２の開口を定める前記第２の回転可能プレートの第２の縁部に形成される請求項２１に記載の折り畳み可能なベビーカー・フレーム。
【請求項２３】
前記第１及び第２の回転可能プレートが各々中央部分を有し、該中央部分が対面並置で配置されることを特徴とする請求項２２に記載の折り畳み可能なベビーカー・フレーム。
【請求項２４】
前記第１及び第２の縁部が、互いから半径方向に離れていることを特徴とする請求項２２に記載の折り畳み可能なベビーカー・フレーム。
【請求項２５】
前記第１及び第２の回転可能プレートが各々、該プレートから突出して共平面関係にある平坦なアーム部分を有し、前記第１の回転可能プレートに取り付けられた第２の端部の１つが前記アーム部分に取り付けられ、前記第２の回転可能プレートに取り付けられた第２の端部の１つが前記アームに取り付けられることを特徴とする請求項２１に記載の折り畳み可能なベビーカー・フレーム。
【請求項２６】
前記第１の歯車が第１のピッチ円直径を有し、前記第２の歯車が前記第１のピッチ円直径と同じではない第２のピッチ円直径を有する請求項２１に記載の折り畳み式ベビーカー・フレーム。
【請求項２７】
前記第１の歯車の第１のピッチ円直径が、前記第１の回転可能プレートに取り付けられる前記第１、第２、及び第３の部材のうちの１つを前記折り畳み可能なベビーカー・フレームの折り畳み位置から展開位置まで第１の回転角度で回転させるような大きさにされ、前記第２の歯車の第２のピッチ円直径が、前記第２の回転可能プレートに取り付けられる前記第１、第２、及び第３の部材のうちの１つを前記折り畳み可能なベビーカー・フレームの折り畳み位置から展開位置まで前記第１の回転角度とは同じではない第２の回転角度で回転させるような大きさにされていることを特徴とする請求項２６に記載の折り畳み可能なベビーカー・フレーム。
【請求項２８】
前記第１及び第２の回転可能プレートが、平行に離間した回転面を通る前記共通の軸の周りを回転するように回転可能に取り付けられ、前記共通の軸が前記第１及び第２の回転可能プレートに対して直角であり、前記第３の歯車が、前記第１及び第２の回転可能プレートの回転面に対して直角で且つ前記第１及び第２の回転可能プレートの共通の軸から離間している軸の周りを回転するように回転可能に取り付けられることを特徴とする請求項２１に記載の折り畳み可能なベビーカー・フレーム。
【請求項２９】
前記第１及び第２の回転可能プレートが各々、該プレートから突出して共平面関係にあり、前記第１及び第２の回転可能プレートのそれぞれの平行に離間した回転面で前記第１及び第２の回転可能プレートと共に回転可能な平坦なアーム部分を有し、前記第１の回転可能プレートに取り付けられる第２の端部の１つが前記アーム部分に取り付けられ、前記第２の回転可能プレートに取り付けられる第２の端部の１つが前記アームに取り付けられることを特徴とする請求項２８に記載の折り畳み可能なベビーカー・フレーム。
【請求項３０】
前記第３の歯車が、前記第１及び第２の回転可能プレートの共通の軸に対し平行に離間した軸の周りを回転するように回転可能に装着された請求項２１に記載の折り畳み可能なベビーカー・フレーム。
【請求項３１】
前記第１及び第２の回転可能プレートは、前記第１及び第２の歯車が平行な回転面内にある状態で前記共通の軸の周りを回転するように回転可能に装着された請求項３０に記載の折り畳み可能なベビーカー・フレーム。
【請求項３２】
各前記左側及び右側の折り畳み組立体において、前記第１の歯車が第１の開口を定める前記第１の回転可能プレートの第１の縁部に形成され、前記第２の歯車が第２の開口を定める前記第２の回転可能プレートの第２の縁部に形成され、前記第１の縁部が、前記第３の歯車の軸の半径方向外側にあり、前記第２の縁部が、前記第３の歯車の軸の半径方向内側にあることを特徴とする請求項３０に記載の折り畳み可能なベビーカー・フレーム。
【請求項３３】
前記第１の歯車が第１のピッチを有し、前記第２の歯車が前記第１のピッチとは異なる第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転し、前記第３の歯車の第１の歯車部分が、前記第１の歯車と駆動係合して前記第１の開口に位置付けられ、前記第３の歯車の第２の歯車部分が前記第２の歯車と駆動係合して前記第２の開口に位置付けられることを特徴とする請求項２１に記載の折り畳み式ベビーカー。
【請求項３４】
第１、第２、及び第３のフレーム部材を有する折り畳み可能な装置に使用できる折り畳み機構であって、
相対的に回転するように回転可能に装着された第１及び第２の回転可能部材を有する折り畳み組立体を備え、
前記第１の回転可能部材が第１の回転面で回転するように位置付けられ、前記第２の回転可能部材が前記第１の回転面から離間した第２の回転面で回転するように位置付けられ、前記第１の回転可能部材が第１の歯車部分を有し、前記第２の回転可能部材が第２の歯車部分を有し、前記折り畳み組立体が更に、前記離間した第１及び第２の回転面の間に延びて、前記第１の回転可能部材と前記第２の回転可能部材がギア連動して相対的に回転するように前記第１及び第２の歯車部分の両方と駆動係合して配置された第３の歯車を更に有し、前記第１の回転可能部材は前記第１、第２、及び第３のフレーム部材のうちの第１のものに取り付けるように構成され、前記第２の回転可能部材は前記第１、第２、及び第３のフレーム部材のうちの別の第２のものに取り付けるように構成され、前記第３の歯車は前記第１、第２、及び第３のフレーム部材のうちの更に別の第３のものによって支持されるように構成されていることを特徴とする折り畳み機構。
【請求項３５】
前記第１の回転可能部材が第１の開口を有し、前記第１の歯車部分が前記第１の開口を定める前記第１の回転可能部材の第１の縁部に形成され、前記第２の回転可能部材が第２の開口を有し、前記第２の歯車部分が前記第２の開口を定める前記第２の回転可能部材の第２の縁部に形成され、前記第３の歯車が前記第１及び第２の開口の両方に位置付けられることを特徴とする請求項３４に記載の折り畳み機構。
【請求項３６】
前記第１及び第２の回転可能部材が各々面部分を有し、該面部分が対面並置で配置されていることを特徴とする請求項３５に記載の折り畳み機構。
【請求項３７】
前記第１及び第２の縁部が、互いから半径方向に離れていることを特徴とする請求項３５に記載の折り畳み機構。
【請求項３８】
前記第１の回転可能部材が前記第１の歯車部分を備えた第１の開口を有し、前記第２の回転可能部材が前記第２の歯車部分を備えた第２の開口を有し、前記第１の開口及び前記第２の開口が細長であり、前記細長い第１及び第２の開口が少なくとも部分的に重なり、前記第３の歯車が前記第１及び第２の開口の両方の重なり部分に位置付けられることを特徴とする請求項３４に記載の折り畳み機構。
【請求項３９】
前記第１の歯車部分が、前記第１の開口を定める前記第１の回転部材の第１の縁部に形成され、前記第２の歯車部分が、前記第２の開口を定める前記第２の回転部材の第２の縁部に形成される請求項３８に記載の折り畳み機構。
【請求項４０】
前記第１及び第２の縁部が、互いから半径方向に離れていることを特徴とする請求項３９に記載の折り畳み機構。
【請求項４１】
前記第１の縁部が前記第１の開口の細長い外側縁に位置付けられ、前記第２の縁部が前記第２の開口の細長い内側縁に位置付けられる請求項４０に記載の折り畳み機構。
【請求項４２】
前記第１の歯車部分が第１のピッチ円直径を有し、前記第２の歯車部分が前記第１のピッチ円直径と同じではない第２のピッチ円直径を有する請求項３４に記載の折り畳み機構。
【請求項４３】
折り畳み位置と展開位置との間で移動できる折り畳み可能な装置と共に使用する請求項４２に記載の折り畳み機構であって、
前記第１の歯車部分の第１のピッチ円直径は、前記第１の回転可能部材に取り付けられたときに前記第１、第２、及び第３のフレーム部材のうちの１つを前記折り畳み可能な装置のフレームの折り畳み位置から展開位置まで第１の回転角度で回転させるような大きさにされ、前記第２の歯車部分が、前記第２の回転可能部材に取り付けられたときに前記第１、第２、及び第３のフレーム部材のうちの１つを前記折り畳み可能な装置のフレームの折り畳み位置から展開位置まで前記第１の回転角度とは同じではない第２の回転角度で回転させるような大きさにされることを特徴とする折り畳み機構。
【請求項４４】
前記第１及び第２の回転可能部材が、平行な第１及び第２の回転面で回転するように位置付けられ、前記第１及び第２の回転可能部材が、前記離間した平行な第１及び第２の回転面を通る共通の回転軸の周りで対称回転を行うように枢動部材上に回転可能に装着され、前記共通の軸が前記第１及び第２の回転可能部材に直角であり、前記第３の歯車が、前記第１及び第２の回転可能部材の前記第１及び第２の回転面に直角で且つ前記第１及び第２の回転可能部材の前記共通の軸から外側に離間した軸の周りを回転するように回転可能に装着されたことを特徴とする請求項３４に記載の折り畳み機構。
【請求項４５】
前記第１及び第２の回転可能部材が、それぞれ第１及び第２の回転可能プレートである請求項４４に記載の折り畳み機構。
【請求項４６】
前記第１及び第２の回転可能プレートが各々、該プレートから突出して共平面関係にあり、前記第１及び第２の回転可能プレートのそれぞれの平行に離間した回転面で前記第１及び第２の回転可能プレートと共に回転可能な平坦なアーム部分を有し、前記第１の回転可能プレートのアーム部分が、前記第１、第２、及び第３のフレーム部材のうちの第１のものに取り付けられるように構成され、前記第２の回転可能プレートのアーム部分が、前記第１、第２、及び第３のフレーム部材のうちの別の第２のものに取り付けられるように構成されることを特徴とする請求項４５に記載の折り畳み機構。
【請求項４７】
前記第１及び第２の回転可能部材が、共通の回転軸の周りを回転するように枢動部材に回転可能に装着され、前記第３の歯車が、前記第１及び第２の回転可能部材の前記共通の軸に対して平行に離間した軸の周りを回転するように回転可能に装着された請求項３４に記載の折り畳み機構。
【請求項４８】
前記第１及び第２の回転可能部材が、前記第１及び第２の歯車部分が平行な回転面にある状態で前記共通の軸の周りを回転するように装着された請求項４７に記載の折り畳み機構。
【請求項４９】
前記第１の歯車部分が、前記第１の回転可能部材の第１の開口を部分的に定める前記第１の回転可能部材の第１の縁部に形成され、前記第２の歯車部分が、前記第２の回転可能部材の第２の開口を部分的に定める前記第２の回転可能部材の第２の縁部に形成され、前記第１の縁部が前記第３の歯車の軸の半径方向外側にあり、前記第２の縁部が前記第３の歯車の軸の半径方向内側にあることを特徴とする請求項４７に記載の折り畳み機構。
【請求項５０】
前記第１の歯車部分が第１のピッチを有し、第２の歯車部分が前記第１のピッチとは異なる第２のピッチを有し、前記第３の歯車が、前記第１のピッチを備えた第３の歯車部分と、前記第２のピッチを備えた第４の歯車部分とを含み、前記第３の歯車の前記第３及び第４の歯車部分が一体として回転し、前記第３の歯車の前記第３の歯車部分が前記第１の歯車部分と駆動係合して前記第１の開口に位置付けられ、前記第３の歯車の前記第４の歯車部分が前記第２の歯車部分と駆動係合して前記第２の開口に位置付けられることを特徴とする請求項３４に記載の折り畳み機構。
【請求項５１】
前記第３の歯車の第３の歯車部分が第１のピニオンギアであり、前記第３の歯車の第４の歯車部分が第２のピニオンギアであり、前記第１及び第２のピニオンギアが同軸上に配置されていることを特徴とする請求項５０に記載の折り畳み機構。
【請求項５２】
前記第１及び第２のピニオンギアが単一部品である請求項５１に記載の折り畳み機構。
【請求項５３】
前記第１及び第２のピニオンギアが、一体として回転するように構成された２つの部品である請求項５１に記載の折り畳み機構。
【請求項５４】
第１、第２、及び第３のフレーム部材を有する折り畳み可能な装置に使用できる折り畳み機構において、
相対的に回転するように回転可能に装着された第１及び第２の回転可能部材を有する折り畳み組立体を備え、
前記第１の回転可能部材が第１の回転面で回転するように位置付けられ、前記第２の回転可能部材が前記第１の回転面と離間した第２の回転面で回転するように位置付けられ、前記第１の回転可能部材が第１の歯車を有し、前記第２の回転可能部材が第２の歯車を有し、前記折り畳み組立体が更に、一体として共に回転するように構成された第３の歯車と第４の歯車とを有し、前記第３の歯車が前記第１の歯車と駆動係合して位置付けられ、且つ前記第４の歯車が前記第２の歯車と駆動係合して位置付けられて前記第１の回転可能部材と前記第２の回転可能部材とがギア連動して相対的に回転するようになり、前記第１の回転可能部材が前記第１、第２、及び第３のフレーム部材のうちの第１のものに取り付けられるように構成され、前記第２の回転可能部材が前記第１、第２、及び第３のフレーム部材のうちの別の第２のものに取り付けられるように構成され、前記第３及び第４の歯車が前記第１、第２、及び第３のフレーム部材のうちの更に別の第３のものに支持されるように構成されていることを特徴とする折り畳み機構。
【請求項５５】
前記第１の歯車が第１のピッチを有し、前記第２の歯車が第１のピッチとは異なる第２のピッチを有し、前記第３の歯車が、前記第１の歯車の第１のピッチと一致する第３のピッチを有し、前記第４の歯車が、前記第２の歯車の第２のピッチと一致する第４のピッチを有することを特徴とする請求項５４に記載の折り畳み機構。
【請求項５６】
前記第１の回転可能部材が第１の開口を有し、前記第１の歯車が前記第１の開口を定める前記第１の回転可能部材の第１の縁部に形成され、前記第２の回転可能部材が第２の開口を有し、前記第２の歯車が前記第２の開口を定める前記第２の回転可能部材の第２の縁部に形成され、前記第３の歯車が前記第１の開口に位置付けられ、前記第４の歯車が前記第２の開口に位置付けられることを特徴とする請求項５５に記載の折り畳み機構。
【請求項５７】
前記第１及び第２の縁部が、互いから半径方向に離れていることを特徴とする請求項５６に記載の折り畳み機構。
【請求項５８】
前記第１及び第２の回転可能部材が各々面部分を有し、該面部分が対面並置で配置されていることを特徴とする請求項５４に記載の折り畳み機構。
【請求項５９】
前記第１及び第２の回転可能部材が、共通の回転軸の周りを回転するように枢動部材上に回転可能に装着され、前記第３及び第４の歯車が、前記第１及び第２の回転可能部材の共通の軸に対して平行に離間した軸の周りを回転するように同軸に装着されていることを特徴とする請求項５４に記載の折り畳み機構。
【請求項６０】
前記第３の歯車が第１の数の歯車の歯を有し、前記第４の歯車が前記第１の数とは異なる第２の数の歯車の歯を有し、前記第３の歯車が前記第１の歯車のピッチと一致するピッチを有し、前記第４の歯車が前記第２の歯車のピッチと一致するピッチを有することを特徴とする請求項５４に記載の折り畳み機構。
【請求項６１】
前輪支持体と、後輪支持体と、ハンドル部材とを有するベビーカー・フレーム用の折り畳み組立体において、
枢動部材と、
第１の開口と前記第１の開口に位置する第１の歯車とを有する第１の回転可能部材と、
第２の歯車を有する第２の回転可能部材であって、前記第１及び第２の回転可能部材が前記枢動部材に回転可能に結合されて、離間した第１及び第２の回転面でそれぞれ共通の回転軸の周りを回転する第２の回転可能部材と、
前記第１の回転部材と前記第２の回転部材がギア連動して相対的に回転するように前記第１の歯車及び前記第２の歯車と駆動係合して位置付けられた第３の歯車であって、前記枢動部材が、前記前輪支持体、後輪支持体、及びハンドル部材のうちの１つによって支持係合されるように構成され、前記第１の回転可能部材が、前記前輪支持体、後輪支持体、及びハンドル部材のうちの別の１つに取り付けられるように構成され、前記第２の回転可能部材が、前記前輪支持体、後輪支持体、及びハンドル部材のうちの更に別の１つに取り付けられるように構成された第３の歯車と、
を備える折り畳み組立体。
【請求項６２】
前記第１及び第２の歯車が互いから半径方向に離れており、前記第３の歯車がこの間に配置されることを特徴とする請求項６１に記載の折り畳み組立体。
【請求項６３】
前記第１の歯車が第１のピッチを有し、前記第２の歯車が前記第１のピッチとは異なる第２のピッチを有し、前記第３の歯車が前記第１のピッチを備えた第１の歯車部分と前記第２のピッチを備えた第２の歯車部分とを含み、前記第３の歯車の前記第１及び第２の部分が一体として回転することを特徴とする請求項６１に記載の折り畳み式ベビーカー。
【発明の詳細な説明】
【技術分野】
【０００１】
本出願は、２００４年４月３０日に出願された米国仮特許出願第６０／５６７，３２５号の利益を主張し、この仮出願は引用により全体が本明細書に組み込まれる。
【０００２】
本発明はベビーカーに関し、より詳細には、折り畳むことができる全地形型ベビーカーに関する。
【背景技術】
【０００３】
従来、ベビーカーは、比較的硬質で滑らかな床又は歩道上で乳幼児をゆっくりと押すのに使用されてきた。その結果、ベビーカーは、小さく軽量に作られていた。これらのベビーカーは、低速では十分によく機能するが、起伏のある面上又はより速い速度では極めて扱いにくく危険でさえある。
【０００４】
全地形型ベビーカーは、これらの問題を克服するよう設計されてきた。これらのベビーカーは通常ははるかに大きな車輪を使用し、大きな自転車用タイヤを使用することが多い。ベビーカー・フレーム部材は、金属製の管状ストック及び耐久性のあるプラスチックフレームコネクタ又はフレーム部材を共に連結するための他の耐久性のある材料とから構成され、フレーム部材が受けることができる酷使に対処する。フレームコネクタは、１つのフレーム部材を他の部材に相対的に回転又は旋回させるのにも使用され、更に、他のフレーム部材と共に取り外し可能に連結するのに使用される。
【０００５】
【特許文献１】米国仮特許出願第６０／５６７，３２５号公報
【発明の開示】
【発明が解決しようとする課題】
【０００６】
全地形型ベビーカーの幾つかの有利な設計の中には、全地形型ベビーカーをある程度まで折り畳めるようにしたものがあるが、望ましいコンパクトな状態にまでは至らない。更に、従来の折り畳み機構には、コストが増大し、信頼性及び使い勝手を制限する厄介な問題がある。
【課題を解決するための手段】
【０００７】
本発明は、折り畳み式ベビーカー及び折り畳み可能なベビーカーで使用可能な折り畳み機構にある。
【０００８】
本折り畳み機構は、相対的に回転するように回転可能に装着された第１及び第２の回転可能部材を有する折り畳み組立体を含む。第１の回転可能部材は、第１の回転面で回転するように位置付けられ、第２の回転可能部材は、第２の回転面で回転するように位置付けられ、第１及び第２の回転面は離間している。第１の回転可能部材は、第１の歯車を有し、第２の回転可能部材は、第２の歯車を有する。折り畳み組立体は更に、一体として共に回転するように構成された第３の歯車及び第４の歯車を有する。第３の歯車は、第１の歯車と駆動係合して位置付けられ、第４の歯車は第２の歯車と駆動係合して位置付けられて、第１の回転可能部材と第２の回転可能部材がギア連動して相対的に回転するようになる。第１の回転可能部材は、第１、第２、及び第３のフレーム部材のうちの第１のものに取り付けられるように構成され、第２の回転可能部材は、第１、第２、及び第３のフレーム部材のうちの別の第２のものに取り付けられるように構成され、第３及び第４の歯車は、第１、第２、及び第３のフレーム部材のうちの更に別の第３のものに支持されるように構成される。
【０００９】
折り畳み機構の第１の歯車は第１のピッチを有し、第２の歯車は、第１のピッチとは異なる第２のピッチを有することができ、第３の歯車は、第１の歯車の第１のピッチと一致する第３のピッチを有することができ、第４の歯車は、第２の歯車の第２のピッチと一致する第４のピッチを有することができる。
【００１０】
折り畳み機構の一実施形態では、第１の回転可能部材は第１の開口を有し、第１の歯車は、、第１の開口を定める第１の回転可能部材の第１の縁部に形成され、第２の回転可能部材は第２の開口を有し、第２の歯車は、第２の開口を定める第２の回転可能部材の第２の縁部に形成される。第３の歯車は第１の開口に位置付けられ、第４の歯車は第２の開口に位置付けられる。第１及び第２の縁部は、互いから半径方向に離れることができる。更に、第１及び第２の回転可能部材は各々面部分を有することができ、該面部分が対面並置で配置される。
【００１１】
第１及び第２の回転可能部材は、共通の回転軸の周りを回転するように枢動部材に回転可能に装着することができ、第３及び第４の歯車は、第１及び第２の回転可能部材の共通の軸に対し平行に離間した軸の周りを回転するように同軸上に装着することができる。
【００１２】
折り畳み機構の一実施形態では、第３の歯車は、第１の数の歯車の歯を有し、第４の歯車は、第１の数とは異なる第２の数の歯車の歯を有し、第３の歯車は、第１の歯車のピッチと一致するピッチを有し、第４の歯車は、第２の歯車のピッチと一致するピッチを有する。
【００１３】
折り畳み組立体は、折り畳み可能なベビーカー・フレーム又は他の装置の一部として使用することができる。ベビーカーは通常、前輪支持体と、後輪支持体と、ハンドル部材とを有する。折り畳み組立体は、枢動部材と、第１の歯車を有する第１の開口を備えた第１の回転可能部材と、第２の歯車を有する第２の開口を備えた第２の回転可能部材とを含むことができる。第１及び第２の回転可能部材は、共通の回転軸の周りを回転するように枢動部材に回転可能に結合される。第３の歯車は、第１の歯車及び第２の歯車と駆動係合で第１及び第２の開口の両方に位置付けられて、第１の回転可能部材と第２の回転可能部材とがギア連動して相対的に回転するようになる。
【００１４】
第１の歯車は第１のピッチを有し、第２の歯車は第１のピッチとは異なる第２のピッチを有することができ、第３の歯車は、第１のピッチを備えた第１の歯車部分と、第２のピッチを備えた第２の歯車部分とを含むことができる。第３の歯車の第１及び第２の部分は、一体として回転するように構成されている。第３の歯車の第１の歯車部分は、第１の歯車と駆動係合して第１の開口に位置付けられ、第３の歯車の第２の歯車部分は、第２の歯車と駆動係合して第２の開口に位置付けられる。
【００１５】
枢動部材は、前輪支持体、後輪支持体、及びハンドル部材のうちの１つにより支持係合されるように構成され、第１の回転可能部材は、前輪支持体、後輪支持体、及びハンドル部材のうちの別の１つに取り付けられるように構成され、第２の回転可能部材は、前輪支持体、後輪支持体、及びハンドル部材のうちの更に別の１つに取り付けられるように構成されている。
【００１６】
第１の歯車は、第１の開口を定める第１の回転部材の第１の縁部に形成され、第２の歯車は、第２の開口を定める第２の回転部材の第２の縁部に形成される。上述の実装では、第１及び第２の縁部は、互いから半径方向に離れている。
【００１７】
第１及び第２の開口は、伸長して、細長い第１及び第２の開口が少なくとも部分的に重なることができる。第１の歯車は、第１のピッチ円直径を有し、第２の歯車は、第１のピッチ円直径と同じではない第２のピッチ円直径を有することができる。第１の歯車は、第２の歯車の半径方向外側に位置付けることができる。
【００１８】
図示の実装では、第１の歯車の第１のピッチ円直径は、第１の回転可能部材が取り付けられるように構成された前輪支持体、後輪支持体、及びハンドル部材のうちの１つを折り畳み可能なベビーカー・フレームの折り畳み位置から展開位置まで第１の回転角度で回転させるような大きさにされ、第２の歯車の第２のピッチ円直径は、第２の回転可能部材が取り付けられるように構成された前輪支持体、後輪支持体、及びハンドル部材のうちの１つを折り畳み可能なベビーカー・フレームの折り畳み位置から展開位置まで第１の回転角度とは同じではない第２の回転角度で回転させるような大きさにされている。
【００１９】
第１の回転可能部材は、第１の回転可能部材が取り付けられるように構成された前輪支持体、後輪支持体、及びハンドル部材のうちの１つに取り付けられるように構成されたアームを有し、第２の回転可能部材は、第２の回転可能部材が取り付けられるように構成された前輪支持体、後輪支持体、及びハンドル部材のうちの１つに取り付けられるように構成されたアームを有する。
【００２０】
折り畳み組立体は、移動可能部材を含むことができ、第１及び第２の回転可能部材は各々、第１及び第２の回転可能部材が枢動部材の周りを回転して第１及び第２の回転可能部材の切り欠きを一直線上に位置付けるときに該部材を中に受け入れる切り欠きを更に含むことができる。
【００２１】
折り畳み組立体はまた、枢動部材を位置付けるハウジングを含むこともできる。ハウジングは、枢動部材が支持係合するように構成された前輪支持体、後輪支持体、及びハンドル部材のうちの１つに取り付けられるように構成されている。
【００２２】
本発明の他の特徴及び利点は、添付図面を参照して以下の詳細な説明から明らかになるであろう。
【発明を実施するための最良の形態】
【００２３】
例証の目的で図示されるように、本発明は、図１に示す全地形型ベビーカー１０において具現化され、該ベビーカー１０は、折り畳み可能な管状金属フレーム１２と、横方向の非回転管状後車軸１５を備えた横方向に延びる後車軸組立体１４とを有する。左及び右側部後輪１６は、後車軸組立体１４の両端に回転可能に装着されている。フレーム１２の前方端には、単一の前輪１８が回転可能に装着されている。
【００２４】
フレーム１２には、従来の大部分の全地形型ベビーカーが有する、前輪１８から後車軸組立体１４まで後方に延びる支持フレーム部材がない。代わりにフレーム１２は、左側及び右側の前方且つ下方に傾斜する前輪フレーム部材又は支持体２０を含み、この各々は、左側及び右側の折り畳み組立体２２の対応する一方から前輪１８に収束する形態で下方に延びる。左側及び右側の前輪支持体２０の各々の前方自由端部２０ａは、プラスチック製の前輪コネクタ２０ｂを該端部に固定的に取り付け、前輪１８の車軸１８ａの左右端部のうちの対応する一方を該コネクタに取り外し可能に取り付けて、前輪をベビーカー・フレーム１２に装着している。
【００２５】
前輪支持体２０は、フットレスト２３により相互に連結され、該フットレストは、前方自由端部２０ａに向かい該前方自由端部の後方で前輪支持体間に架かり、前輪の車軸１８ａの後部位置で各々に固定的に取り付けられ、且つ部分的に前輪１８の上に延びている。フットレスト２３、並びに左側及び右側の前輪コネクタに取り付けられたときの前輪１８により相互に連結された結果として、左側及び右側の前輪支持体２０は、以下に更に詳細に説明するように、ベビーカーを折り畳み及び展開したときに左側及び右側の折り畳み組立体２２に対する固定ユニットを形成する。
【００２６】
またフレーム１２は、左側及び右側で上方及び後方に傾斜するハンドルフレーム部材又は支持体２４を含み、その各々は、左側及び右側の折り畳み組立体２２の対応する一方から左側及び右側のハンドル支持体間に延びるハンドル２６まで、ほぼ平行な配置で上方に延びる。ハンドル２６は、発泡グリップで覆われている。ハンドル支持体２４は、ハンドル２６により相互に連結され、このハンドルは、ハンドル支持体の最後部及び最上方の延長部でハンドル支持体の間に架かり、互いに固定的に取り付けられる。
【００２７】
ハンドル２６により提供された相互連結の結果として、左側及び右側のハンドル支持体２４は、以下に更に詳細に説明するように、ベビーカー１０を折り畳み及び展開する際に左側及び右側の折り畳み組立体２２に対して一体として動く。相互連結するハンドル２６の代わりに、ハンドル支持体２４は、傘型のベビーカーで使用されるようにそれぞれその上端部にハンドル部分を備えることができる点に留意されたい。
【００２８】
本発明の例示的な実施形態では、左側及び右側のハンドル支持体２４とハンドル２６とは、アルミニウム管１本を曲げることにより一体型ユニットとして形成されている。左側及び右側のハンドル支持体２４は、ベビーカー１０を折り畳むために左側及び右側の前輪支持体２０に対して移動可能であり、合わせて一体型剛性上方フレームは形成しない。
【００２９】
またフレーム１２は、左側及び右側の下方及び後方に傾斜する後輪フレーム部材又は支持体３０を含み、この各々は、左側及び右側の折り畳み組立体２２の対応する一方からほぼ平行な配置で後車軸組立体１４まで下方に延びる。左側及び右側の後輪支持体３０の各々の後方自由端部３０ａは、管状後車軸１５の左右端部の対応する一方に向けて管状後車軸１５に固定的に取り付けられる。後輪支持体３０は、その後方自由端部３０ａで後輪支持体間に架かる後車軸組立体１４により相互に連結される。Ｕ字形のクロスフレーム部材３１が、左側と右側の後輪支持体３０間に延びる。後車軸組立体１４及びクロスフレーム部材３１により提供される相互連結の結果として、左側及び右側のハンドル支持体３０は、以下に更に詳細に説明するように、ベビーカー１０の折り畳み及び展開において左側及び右側の折り畳み組立体２２に対して一体として動く。また左側及び右側の後輪支持体３０は、ベビーカー１０の折り畳みにおいて、左側及び右側の前輪支持体２０及び左側及び右側のハンドル支持体２４に対して移動可能である。更に、左側及び右側の後輪支持体３０及びこれに連結された後車軸組立体１４は、後輪と前輪１６と１８の間に延びる支持フレームの一部を形成しない。ベビーカー１０の構造強度、並びに前輪支持体２０とハンドル支持体２４と後輪支持体３０との相互連結のほとんどは、支持フレームによってではなく、中央に位置付けられた左側及び右側の折り畳み組立体２２によってもたらされる。
【００３０】
ベビーカー１０の例示的な実施形態では、左側及び右側の前輪支持体２０、左側及び右側のハンドル支持体２４、並びに左側及び右側の後輪支持体３０は、アルミニウム管体から作られる。好適な代替の材料を使用してもよい。
【００３１】
管状後車軸１５の左右の外方端部は開いており、雌ネジが付けられ、左右後輪１６の対応する一方の一部を形成しているネジ付きスタブ車軸３２を受け入れる。ロックナット(図示せず)をスタブ車軸３２の面に接して締結し、ベビーカー１０の使用中にスタブ車軸が緩まないようにロックする。代替構造を用いて、後輪１６を管状後車軸１５に固定的又は取り外し可能に取り付けることができ、あらゆる好適な代替の方法を使用して後輪１６を後輪支持体３０に装着してもよい。
【００３２】
ベビーカー１０のフレーム１２が、布地シート３３ａと、布地脚サポート兼ガード３３ｂとを備えた完全に展開状態で図１に示されている。シート３３ａは、左側及び右側のハンドル支持体２４から懸架され、脚ガード３３ｂは左側及び右側の前輪支持体２０の間に架かり、これにより支持されている。例示の目的で、フレーム１２は、図２ではシート３３ａ及び脚ガード３３ｂなしで示されている。
【００３３】
ここで、上述の実装における左側及び右側の折り畳み組立体２２のユーザの操作を説明する。左側及び右側の折り畳み組立体２２は、一方が他方の鏡像となった同じ構造を有し、以下の説明は単独であっても両方に適用可能である。左右の後輪支持体３０の各々は、内側に延びるレバー３４を支持し、図３に示すように、ベビーカー１０のフレーム１２を完全に展開位置でロックされたときにほぼ垂直の配向を有する。フレーム１２を折り畳む手順を開始するには、レバー３４の各々を、矢印Ｒ１で示すように上方且つ内方に引き、以下に更に説明するように、左側及び右側の折り畳み組立体２２をアンロック状態にする。レバー３４にストラップ(図示せず)の両端部を連結し、両方のレバーを同時に動かすのを容易にすることができる。
【００３４】
左右の折り畳み組立体２２の各々をアンロック状態にすると、左右のハンドル支持体２４及びハンドル２６、並びに左右の前輪支持体２０及び前輪１８は、図４に示す矢印Ｒ２が表すように、それぞれ左右の折り畳み組立体の周りをそれぞれ左右の後輪支持体３０へ向かって回転させることができる。図示のように、ベビーカー１０を折り畳むときには、折り畳み組立体２２は、前輪支持体２０（９０°未満）よりもハンドル支持体２４（９０°よりも大きい）の回転角度を大きくすることができる。以下に更に説明するように、前輪支持体２０は、ハンドル支持体２４の移動とギア連動して移動する。フレーム１２が折り畳まれると、前輪支持体２０は、図４で見られるように折り畳み組立体２２の周りを時計回りに回転し、ハンドル支持体２４もまた、図４で見られるように折り畳み組立体の周りを反時計回りに回転する。図５には、フレーム１２が部分的に折り畳まれた状態で示されている。完全に折り畳まれた状態では、前輪支持体２０とハンドル支持体２４の両方は、互いに折り畳み組立体２２の周りをギア連動して回転し、図６に示すように後輪支持体３０に極めて近接して位置付けられる。このようにするために、前輪１８は取り外される。
【００３５】
右側折り畳み組立体２２が図７に分解図で示され、横方向外側に位置する前方回転可能部材３５’と、横方向内側の後方回転可能部材３５”とを含み、各々平坦な面を互いに面した状態にある。前方回転可能部材３５’は、中央プレート部に中央開口３７’備えたプレート又はディスク３６’を有する。また前方回転可能部材３５’は、切り欠き３８’と、細長い開口４１’内にある半径方向外側の内歯車３９’と、アーム４０’とを含む。後方回転可能部材３５”は、中央プレート部に中央開口３７”を備えたプレート又はディスク３６”を有する。また後方回転可能部材３５”は、切り欠き３８”と、細長い開口４１内にある半径方向内側の内歯車３９”と、アーム４０”とを含む。回転可能部材３５’及び３５”の各々において、ディスク３６’及び３６”、並びにアーム４０’及び４０”、単一の平坦なプレートの部品の一部として形成されているように描いているが、他の実装では、ディスク及びアームは、共に固定的に取り付けられた個々の部品である。
【００３６】
回転可能部材３５’及び３５”は、後輪支持体３０の対応する一方と共に、ハウジング４２の内側及び外側のスロット付き半部分間に収められ、アーム４０’及び４０”がハウジングの外に突出できるようにする。ハウジング４２の各半部分の内壁には、凹部４２ａがあり、該凹部は、ハウジングの２つの半部分を合わせて配置したときに、この凹部が内部の対応する後輪支持体３０の上部自由端部分３０ｂとクロスフレーム部材３１の上部自由端部分とを受け入れるキャビティを形成するような大きさ及び形状にされる。ボルト(図示せず)は、ハウジング４２の各半部分の開口４２ｆを通り、後輪支持体３０の上部自由端部分３０ｂの開口３０ｃ及びクロスフレーム部材３１の上部自由端部分の開口を通って延びて、後輪支持体及びクロスフレーム部材をハウジングの内側及び外側半部分間に堅固にクランプする。
【００３７】
ディスク３６’及び３６”の中央開口３７’及び３７”はそれぞれ、２つのディスクを重ねた厚さよりも長い貫通ブッシュ４３を受け入れるような大きさにされる。回転可能部材３５’及び３５”は、ブッシュに回転可能に装着され、ハウジング４２内でディスク３６’及び３６”の面を横断する回転軸を中心に平行な回転面で回転する。中央開口３７’及び３７”を越えて延びるブッシュの両端部は各々、Ｃ型クリップ４３ｂを受け入れる円周溝４３ａを有し、ブッシュ４３を所定位置に保持する。ブッシュ４３はまた、回転可能部材３５’及び３５”のディスク３６’及び３６”間に位置決めされたワッシャ４３ｂを通って延び、回転可能部材がブッシュ４３の周りを回転移動するためのスペーサ及び座面として機能する。ディスク３６’及び３６”の各々は、その間にワッシャ４３ｂを配置して、互いに向かい合わせて並置した平坦面を有する。
【００３８】
Ｃ型クリップ４３ｂを越えて延びるブッシュ４３の端部分は各々、対応して位置付けられるハウジング４２の内側及び外側半部分の一方の内壁に形成された保持カップ４２ｂに位置付けられて、該保持カップにより保持される。ハウジング４２の内側及び外側半部分の各々には、対応する保持カップ４２ｂと連通した開口４２ｃがある。ブッシュ４３は、ハウジング４２の内側及び外側半部分の開口４３ｂと整列し、ハウジングの内側及び外側半部分を完全に貫通するボルト４５を受け入れるような大きさにされた長手方向に延びる中央開口４３ｃを有する。ナット４５ａは、ボルト４５のネジ付き端部分に螺合されて、折り畳み組立体２２のハウジング４２の内側及び外側半部分を堅固にクランプし、ディスク３６’及び３６”はブッシュ４３上で自由に回転可能であると共にワッシャ４３ｄにより離間して配置され、アーム４０’は、ハウジングのスロット４２ｅの前部を通って前方に延び、アーム４０”はハウジングスロットの後部を通って後方に延びる。アーム４０’及び４０”は、平坦な細長いプレートである。
【００３９】
上述のように、回転可能部材３５’及び３５”のディスク３６’及び３６”は、向かい合わせて並置した平坦な面を有する。これは、細長い開口４１’及び４１”を備えて横方向に近接した平行プレートを形成し、各々は、細長い開口４１’及び４１”のうちの対応する一方の縁部に沿って形成された半径方向外側及び内側歯車３９’及び３９”の対応する一方の歯を有する。ディスク３６’の半径方向外側の歯車３９’の歯は、細長い開口４１’の半径方向外側縁部に沿って形成され、ディスク３６”の半径方向内側の歯車３９”の歯は、細長い開口４１”の半径方向内側縁部に沿って形成される。平坦なディスク３６’及び３６”は、離間した平行な面に配置され、半径方向外側及び内側の歯車３９’及び３９”は、離間した平行な面に同様に配置され、共通の面又は互いに直接係合して配置されない。細長い開口４１’及び４１”は、回転可能部材３５’及び３５”がベビーカー１０の折り畳み状態と展開状態との間で回転する間少なくとも一部が重なるように、ディスク３６’及び３６”上に位置付けられる。
【００４０】
ピニオンギア４４は、前方回転可能部材３５’の半径方向外側の歯車３９’と後方回転可能部材３５”の半径方向内側の歯車３９”との両方に同時に歯車係合して細長い開口４１’及び４１”内に位置付けられる。ピニオンギア４４は、ベビーカー１０の折り畳み及び展開中に細長い開口が重なる位置でディスク３６’及び３６”の細長い開口４１’及び４１”の各々を貫通して越えて延び、ディスク３６’及び３６”の半径方向外側及び内側の歯車３９’及び３９”の間で歯車の両方と同時に係合して完全に架かるように配置される。ピニオンギア４４は、前輪支持体２０とハンドル支持体２４との間で一方の回転を受けて他方を回転させる駆動回転力を伝える。
【００４１】
ピニオンギア４４は、ピン４４ａ上に回転可能に装着され、ピニオンギア４４を越えて延びるピンの両端部の各々が平坦なブッシュ４４ｂの開口に位置付けられて平坦なブッシュにより回転可能に保持される。平坦なブッシュ４４ｂの各々は、ハウジング４２の内側及び外側半部分の対応して位置付けられた一方の内壁により形成された保持カップ４４ｃ内に位置付けられてこれにより保持される。従って、ピニオンギア４４は、後輪支持体３０のうちの対応する一方に固定的に取り付けられて共に移動するハウジング４２により支持され、当然ながら、ピン４４ａの軸を中心に回転可能である。かかる構成では、ピニオンギア４４は、ディスク３６’及び３６”の平面に直交する回転軸の周りを回転可能であり、ディスク３６’及び３６”の回転軸と平行に離間して配置される。
【００４２】
ピニオンギア４４は、前方回転可能部材３５’の半径方向外側の歯車３９’と後方回転可能部材３５”の半径方向内側の歯車３９”とに係合する。その結果、ピニオンギア４４を介し、半径方向外側の歯車３９’と半径方向内側の歯車３９”とは、互いに駆動的に係合し、どちらかが回転すると、その回転力はピニオンギアを介して他方に伝達されて、他方もまたブッシュ４３の周りを回転させる。従って、前輪支持体２０又はハンドル支持体２４が後輪支持体３０に対して回転すると、前輪支持体及びハンドル支持体のうちの他方も同様に回転するよう駆動される。
【００４３】
半径方向外側及び内側の歯車３９’及び３９”は、ピニオンギア４４が両方に係合するため同じピッチを有するが、各々が、ピニオンギアよりも大きいピッチ円直径を有する。しかしながら、半径方向内側の歯車３９”は、半径方向外側の歯車３９’よりも小さい曲率半径又はピッチ円直径を有し、従って、後方回転可能部材３５”の結果として生じる回転移動は、前方回転可能部材３５’の回転移動より大きくなる。言い換えれば、ピニオンギア４４がどのような回転量だけ回転しても、後方回転可能部材３５”、及びこれに取り付けられたハンドル支持体２４は、前方回転可能部材３５”及びこれに取り付けられた前輪支持体２０よりも多く回転することになる。このことは、上述のように、及び図４に示すように、前輪支持体２０及びハンドル支持体２４を後輪支持体３０の周りで堅固に折り畳むためには、ハンドル支持体の回転角度（一実施形態では約１０８°）が前輪支持体の回転角度（同じ実施形態では約７２°）よりも大きくなる必要があるので有用である。別の実施形態では、ハンドル支持体及び前輪支持体の回転角度は同じ（第２の実施形態では各々約９０°）である。
【００４４】
前方回転可能部材３５’の半径方向外側の歯車３９’及び後方回転可能部材３５”の半径方向内側の歯車３９”の各々についてのピッチ円直径と、ピニオンギア４４のピッチ円直径は、前方及び後方回転可能部材３５’及び３５”の回転移動の所望の比率を生成するように選択され、ハンドル支持体２４及び前輪支持体２０を後輪支持体３０に接して堅固に入れ子にして、ベビーカー１０をコンパクトな形態に折り畳む。しかしながら、半径方向外側及び内側の歯車３９’及び３９”に異なるピッチ円直径を選択できることは有益であるが、更に設計の柔軟度が高いことが望ましい場合がある。
【００４５】
図１０及び１２に示す折り畳み組立体２２の別の実施形態では、ピニオンギア４４は、第１及び第２のピニオンギア部分４４ｘ及び４４ｙを有し、第１のピニオンギア部分は第１のピッチと、第１のピッチ円直径と、第１の数の歯車の歯とを有し、第２のピニオンギア部分は、異なる第２のピッチと、第２のピッチ円直径と、異なる第２の数の歯車の歯とを有して示されている。第１及び第２のピニオンギア部分４４ｘ及び４４ｙは、単一部品として形成され、ピン４４ａ上に同軸形態で一体として共に回転するが、本質的には各々固有の歯車パラメータを備えた２つのピニオンギアである。第１のピニオンギア部分４４ｘは、半径方向外側の歯車３９’に係合するように位置付けられ、それに対応するピッチと、５つの歯車の歯を有し、第２のピニオンギア部分４４ｙは、半径方向内側の歯車３９”に係合するように位置付けられて、これに対応するピッチと、４つの歯車の歯を有する。第１及び第２のピニオンギア部分４４ｘ及び４４ｙは、同じ又は異なるピッチ円直径を有することができる。かかる方法では、半径方向外側及び内側の歯車３９’及び３９”と、これらにそれぞれ係合する第１及び第２のピニオンギア部分４４ｘと４４ｙとは、ベビーカー１０の折り畳み及び展開時に、前方及び後方回転可能部材３５’及び３５”の広範な異なる回転移動量をもたらすギアパラメータで設計することができる。実際には、半径方向外側の歯車３９’と第１のピニオンギア部分４４ｘのペアは、前方回転可能部材３５’の第１の回転移動を生成する第１のギアパラメータで設計することができ、半径方向内側の歯車３９”と第２のピニオンギア部分４４ｙのペアは、後方回転可能部材３５”の異なる第２の回転移動を生成する異なる第２のギアパラメータで設計することができ、第１及び第２のギアパラメータを独立して選択することができるので、許容される設計の自由度及び柔軟性がより大きくなる。
【００４６】
上述のように、第１の実施形態で半径方向外側及び内側の歯車３９’及び３９”のピッチ円直径のみが異なるように説明されたが、図１０及び１２の実施形態では、半径方向外側の歯車３９’と第１のピニオンギア部分４４ｘのペア、及び半径方向内側の歯車３９”と第２のピニオンギア部分４４ｙのペアは、本質的に互いに独立して設計し、ベビーカー１０の折り畳み及び展開時の半径方向外側の歯車３９’と半径方向内側の歯車３９”の回転移動の所望の比率、すなわち前方及び後方回転可能部材３５’及び３５”の回転移動の所望の比率などの所望の結果をもたらすことができる。例えば、これにより、ベビーカー１０の折り畳み中に生じる後輪支持体３０に対するハンドル支持体２４と前輪支持体２０の両方の移動量をより良好に制御する折り畳み組立体２２の設計が可能になり、従って、コンパクトな形態に折り畳むことが可能となり、ハンドル支持体及び前輪支持体は後輪支持体に接して堅固に入れ子になるよう移動することができる。
【００４７】
図１１及び１３に示す折り畳み組立体２２の更に別の実施形態では、ピニオンギア４４”は、第１及び第２のピニオンギア４４ｘｘ及び４４ｙｙを別個の部品として形成するが、ピン４４ａ上で一体として共に回転するように、例えば溶接、挿入ピン又は何か他の方法で互いに固定的に取り付けるように示されている。或いは、第１及び第２のピニオンギア４４ｘｘ及び４４ｙｙは、ピン４４ａが自由に回転する限りはピン４４ａに固定することができる。第１のピニオンギア４４ｘｘは、第１のピッチと、第１のピッチ円直径と、第１の数の歯車の歯（この実施形態では５として示す）を有し、第２のピニオンギア４４ｙｙは、異なる第２のピッチと、第２のピッチ円直径と、異なる第２の数の歯車の歯（この実施形態では４として示す）を有する。第１のピニオンギア４４ｘｘは、半径方向外側の歯車３９’と係合するように位置付けられ、第２のピニオンギア４４ｙｙは、半径方向内側の歯車３９”と係合するように位置付けられる。上述のように、半径方向外側の歯車３９’と第１のピニオンギア４４ｘｘのペア、及び半径方向内側の歯車３９”と第２のピニオンギア４４ｙｙのペアは、本質的に他方とは別個のギアパラメータで設計して、折り畳み組立体２２の設計に更に柔軟性をもたらし、ベビーカー１０の折り畳み及び展開時に、半径方向外側の歯車３９’と半径方向内側の歯車３９”の回転移動の所望の比率、従って前方及び後方回転可能部材３５’及び３５”の回転移動の所望の比率を生成することができる。
【００４８】
前方回転可能部材３５’の半径方向外側の歯車３９’及び後方回転可能部材３５”の半径方向内側の歯車３９”の長さ、更にピニオンギア４４が位置付けられる細長い開口４１’及び４１”の長さは、前方及び後方回転可能部材３５’及び３５”の可能な回転量に影響を与える。移動の範囲は、前方及び後方回転可能部材３５’及び３５”の周辺部にそれぞれ取り付けられたストップ部５１’及び５１”によって制限される。ストップ部５１’及び５１”の各々は、隣接する回転可能部材に向かって横方向で、且つ隣接する回転可能部材の周辺の半径方向外側に延びる。ストップ部５１’及びストップ部５１”は、回転可能部材の周辺に沿った位置で回転可能部材３５'及び３５”に取り付けられ、図８に示すように、回転可能部材が回転して折り畳み組立体２２を完全に展開された状態になったときに、ストップ部５１’及び５１”が係合して、回転可能部材がその回転方向でこれ以上回転移動しないように取り付けられる。図示された実装において、ストップ部５１’及び５１”は、ハンドル支持体２４に対して約１０８°、及び前輪支持体２０に対して約７０°の回転角度を与えるように位置付けられている。
【００４９】
図示の実装において、前輪支持体２０とハンドル支持体２４とが左側及び右側の折り畳み組立体２２の回転可能部材３５’及び３５”（並びにハウジング４２に固定的に取付けられた後輪支持体３０）に取り付けられているが、他の実装では、後輪支持体３０とハンドル支持体２４とを、折り畳み組立体２２の回転可能部材３５’及び３５”（並びにハウジング４２に固定的に取付けられた前輪支持体２０）に取り付けて前輪支持体の周りを回転して折り畳むようにすることができる点を理解されたい。同様に、後輪支持体３０と前輪支持体２０とを、折り畳み組立体２２の回転可能部材３５’及び３５”（並びにハウジング４２に固定的に取り付けられたハンドル支持体２４）に取り付けて、ハンドル支持体の周りを回転して折り畳むようにすることができる。
【００５０】
折り畳み組立体２２が、図８に示すような完全に展開された状態にあるときに、ベビーカー１０が意図せずに折り畳まれるのを防止するために、各折り畳み組立体は、ロッキングラグ５２を有する摺動可能に装着されたヘッド５０を備えた解除可能なロック機構を有する。回転部材がベビーカーの完全に展開された状態近くまで回転すると、バネ５４がヘッド５０にバイアス力を加え、ロッキングラグ５２を折り畳み組立体のディスク３６’及び３６”の各々の滑らかな円形周辺部と接触させた状態で維持する。ディスク３６’及び３６”の切り欠き３８’及び３８”は、ベビーカー１０が完全に展開した状態に達したときに切り欠きが一直線上になり、バネ５４がヘッド５０を前方に駆動してロッキングラグ５２を両方の切り欠きに位置付け、従って折り畳み状態に向けたディスクの回転が阻止されるようになるロケーションで、ディスクの補強された周辺部に沿って位置付けられる。切り欠き３８’及び３８”の周りのディスク３６’及び３６”の部分は、強度を付加するために厚みが増大されている。
【００５１】
ヘッド５０は、後輪支持体３０の上部自由端部３０ｂを受け入れる凹部４２ａよりも上の位置でハウジング４２に摺動可能に装着される。バネ５４の上端部はヘッド５０に係合し、下端部は、後輪支持体３０の上部自由端部３０ｂ内部に位置付けられたバネ支持体５６に係合する。折り畳み組立体２２のレバー３４は、後輪支持体３０に枢着され、ヘッド５０の開口を通って延びてヘッド内のピンと係合しているノーズ部分を有し、図３の矢印Ｒ１で表すように上方且つ内側にレバー３４を引いたときに、ヘッド５０が下方に移動してディスク３６’及び３６”から離れ、これによってロッキングラグ５２を切り欠き３８’及び３８”から後退させ、ディスク３６’及び３６”が図６に示す完全に折り畳まれた状態に向かってほぼ貝殻のような動きで回転して、ハンドル支持体２４及び前輪支持体２２を後輪支持体３０に接して堅固に入れ子状に収めて位置付けるようにすることができる。ヘッド５０のロッキングラグ５２が切り欠き３８’及び３８”から後退したときの、展開状態と折り畳み状態の間の折り畳み組立体２２が図９に示されている。
【００５２】
バネ５４は、ヘッド５０に十分な力を与えてロッキングラグ５２を切り欠き３８’及び３８”に保持し、ベビーカー１０を完全に展開状態でロックするが、この力は、折り畳み組立体が折り畳まれるようになるときに、ロッキングラグを切り欠きから後退させるためにユーザが過度の力をレバー３４に加えるよう要求するほど大きくない。
【００５３】
左側及び右側の折り畳み組立体２２の各々は、前方回転部材３５’のアーム４０’にボルト締めされた対応する左又は右の前輪支持体２０と、後方回転部材３５”のアーム４０”にボルト締めされた対応する左又は右のハンドル支持体２４とを有する。
【００５４】
回転可能部材３５’及び３５”は、ディスク３６’及び３６”を含むものとして表したが、他の実装では回転可能部材３５’及び３５”は、他の形状を有してもよい。
【００５５】
全地形型ベビーカー１０’の別の実施形態が図１５に示される。この実施形態は、ベビーカー１０と基本的に同じ設計を有するが、２人の子供を並べた形態で運ぶように設計されている。ベビーカー１０’のフレーム１２は、左側及び右側のフレーム支持体２４を有するのに加えて、中央折り畳み組立体２２’（図１４に示す）から上方に延びる中央フレーム支持体２４’を有し、該中央折り畳み組立体２２’は、左側及び右側の外方に向かって延びるレバー３４を有することを除いて、前述の折り畳み組立体２２と同じ構成である。中央折り畳み組立体２２’のレバーのどちらかを上方及び外側に引き、中央折り畳み組立体２２’をアンロック状態にすることができる。上述の折り畳み組立体２２とほぼ同様に、中央折り畳み組立体２２’の各レバー３４は、後輪支持体３０’に枢着され、両側からであるが、中央折り畳み組立体２２’のヘッド５０にある開口を通って延びるノーズ部分を有する。いずれかのレバー３４を上方に及び外側に引いて移動させることにより、中央折り畳み部材２２’のヘッド５０を下方に移動させ、中央折り畳み組立体２２’のディスク３６’及び３６”から離して、これによってロッキングラグ５２を切り欠き３８’及び３８”から後退させ、ディスク３６’及び３６”が完全に折り畳まれた状態に向かって回転できるようにする。ストラップ（図示せず）は、その両端を左側の折り畳み組立体２２のレバー３４と中央の折り畳み組立体２２’の左側のレバー３４とに連結することができ、別のストラップ（図示せず）は、その両端を右側折り畳み組立体２２のレバー３４と中央折り畳み組立体２２’の右側レバーとに連結して、ストラップが連結された両方のレバーを同時に動かすのを容易にすることができる。
【００５６】
上述のことから、本発明の特定の実施形態を例証の目的で本明細書で説明してきたが、本発明の精神及び範囲から逸脱することなく様々な変更を行うことができる点は理解されるであろう。従って、本発明は、添付の請求項による場合を除いて限定されるものではない。
【図面の簡単な説明】
【００５７】
【図１】使用可能な完全に展開された状態で示した本発明を具現化するベビーカーの例示的な実装の等角図である。
【図２】シート及び脚ガードがない図１のベビーカー・フレームの等角図である。
【図３】図２のベビーカー・フレームの正面図である。
【図４】図２のベビーカー・フレームの側面図である。
【図５】部分的に折り畳まれた状態で示した図２のベビーカー・フレームの側面図である。
【図６】左右の前部支持体と左右側のハンドル支持体とをそれぞれの側の折り畳み組立体の周りでそれぞれの側の後輪支持体へ向けて回転させ、且つ前輪を取り除いて完全に折り畳まれた状態で示した図２のベビーカー・フレームの側面図である。
【図７】図１に示した実施の右側の折り畳み組立体の分解組立等角図であり、左側の折り畳み組立体は右側の鏡像である。
【図８】図７の右側の折り畳み組立体を外側半分のハウジングを取り除いて完全に展開された状態の拡大右側部分側面図である。
【図９】図７の右側の折り畳み組立体を内側半分のハウジングを取り除いて部分的に展開された状態の左側部分側面図である。
【図１０】ピニオンギアが２つの歯車部分を有する、図１２に示す折り畳み組立体の代替的な実施形態で使用されるピニオンギア及びピンの拡大等角図である。
【図１１】ピニオンギアが使用のため互いに付加された２つの歯車からなる図１３に示す折り畳み組立体の更に別の代替的実施形態で使用されるピニオンギア及びピンの拡大等角図である。
【図１２】図７に対応する、折り畳み組立体の代替的実施形態の右側の折り畳み組立体の分解組立等角図であり、左側の折り畳み組立体はその鏡像である。
【図１３】図７に対応する、折り畳み組立体の更に別の代替的実施形態の右側の折り畳み組立体の分解組立等角図であり、左側の折り畳み組立体はその鏡像である。
【図１４】図７に対応する、２つの解除レバーを備えた図１５に示す二人用ベビーカーに使用される中央折り畳み組立体の分解組立等角図である。
【図１５】シート及び脚ガードなしで使用可能な完全に展開された状態で示した本発明を具体化する二人用ベビーカーの例示的実装の等角図である。
【符号の説明】
【００５８】
１０  ベビーカー
１２  フレーム
１４  後車軸組立体
１６  後輪
１８  前輪
【図１】
2007537911.tif 000003
【図２】
2007537911.tif 000004
【図３】
2007537911.tif 000005
【図４】
2007537911.tif 000006
【図５】
2007537911.tif 000007
【図６】
2007537911.tif 000008
【図７】
2007537911.tif 000009
【図８】
2007537911.tif 000010
【図９】
2007537911.tif 000011
【図１０】
2007537911.tif 000012
【図１１】
2007537911.tif 000013
【図１２】
2007537911.tif 000014
【図１３】
2007537911.tif 000015
【図１４】
2007537911.tif 000016
【図１５】
2007537911.tif 000017
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
折り畳み可能なベビーカーであって、
前輪と、
横方向に離間した左側及び右側の前輪支持体であって、該前輪支持体の各々が前方端部と後方端部とを有し、前記前輪支持体のうちの少なくとも１つの前記前方端部に前記前輪が装着され、一体として回転可能である左側及び右側前輪支持体と、
左右後輪と、
横方向に離間した左側及び右側の後輪支持体であって、該後輪支持体の各々が下方端部分と上方端部分とを有し、前記下方端部分が前記左右の後輪のうちの少なくとも１つに結合されている後輪支持体と、
横方向に離間した左側及び右側のハンドル部材であって、該ハンドル部材の各々が、前方端部とハンドル部分を備えた後方端部とを有し、一体として回転可能である左側及び右側のハンドル部材と、
横方向に離間した左側及び右側の折り畳み組立体であって、該折り畳み組立体の各々が、前記左側及び右側の後輪支持体のうちの対応する一方の上端部分により支持された枢動部材に回転可能に結合されて共通の回転軸の周りを回転する第１の回転可能部材と第２の回転可能部材とを有し、前記第１の回転可能部材が第１の歯車を備えた第１の細長い開口を有し、前記第２の回転可能部材が第２の歯車を備えた第２の細長い開口を有し、前記左側及び右側の折り畳み組立体の各々が更に、前記第１の回転可能部材と前記第２の回転可能部材がギア連動して相対的に回転するように前記第１の歯車及び前記第２の歯車と駆動係合して前記第１及び第２の細長い開口の両方に位置付けられた第３の歯車を有し、前記左側及び右側の前輪支持体のうちの対応する一方の前記後方端部が前記第１の回転可能部材に取り付けられ、前記左側及び右側のハンドル部材のうちの対応する一方の前記前方端部が前記第２の回転可能部材に取り付けられている左側及び右側の折り畳み組立体と、
を備える折り畳み可能なベビーカー。
【請求項２】
各前記左側及び右側の折り畳み組立体に関して、前記第１の歯車が前記第１の開口を定める前記第１の回転可能部材の半径方向外側縁部に形成され、前記第２の歯車が第２の開口を定める前記第２の回転可能部材の半径方向内側縁部に形成される請求項１に記載の折り畳み可能なベビーカー。
【請求項３】
前記前輪支持体が、前記折り畳み可能なベビーカーの折り畳み位置から展開位置まで第１の回転角度で回転し、前記ハンドル部材が前記折り畳み可能なベビーカーの折り畳み位置から展開位置まで前記第１の回転角度とは同じではない第２の回転角度で回転し、前記左側及び右側折り畳み組立体の各々の第１の歯車が第１のピッチ円直径を有し、前記左側及び右側折り畳み組立体の各々の第２の歯車が前記第１のピッチ円直径と同じではない第２のピッチ円直径を有し、前記第１のピッチ円直径は、前記第２のピッチ円直径に対して、前記ハンドル部材が前記第２の回転角度で回転するときに前記前輪支持体が前記第１の回転角度で回転することを可能にするような大きさにされることを特徴とする請求項１に記載の折り畳み可能なベビーカー。
【請求項４】
前記第１の歯車が第１のピッチを有し、前記第２の歯車が前記第１のピッチとは異なる第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転するように構成され、前記第３の歯車の第１の歯車部分が前記第１の歯車と駆動係合して前記第１の細長い開口に位置付けられ、前記第３の歯車の第２の歯車部分が前記第２の歯車と駆動係合して前記第２の細長い開口に位置付けられることを特徴とする請求項１に記載の折り畳み可能なベビーカー。
【請求項５】
前記第１の歯車が第１のピッチを有し、前記第２の歯車が前記第１のピッチと同じ第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転し、前記第３の歯車の第１の歯車部分が前記第１の歯車と駆動係合して前記第１の細長い開口に位置付けられ、前記第３の歯車の第２の歯車部分が前記第２の歯車と駆動係合して前記第２の細長い開口に位置付けられることを特徴とする請求項１に記載の折り畳み可能なベビーカー。
【請求項６】
少なくとも１つの前輪と複数の後輪と共に使用する折り畳み可能なベビーカー・フレームにおいて、
横方向に離間した左側及び右側の前輪支持体であって、該前輪支持体の各々が端部を有し、前記前輪支持体が少なくとも１つの前輪を該支持体に装着するように構成されて、一体として回転可能である左側及び右側前輪支持体と、
横方向に離間した左側及び右側の後輪支持体であって、該後輪支持体の各々が端部を有し、前記後輪支持体が各々少なくとも１つの後輪を該支持体に装着するように構成されて、一体として回転可能である左側及び右側後輪支持体と、
横方向に離間した左側及び右側のハンドル部材であって、該ハンドル部材の各々が端部を有し、前記ハンドル部材が各々ハンドル部分を有し、一体として回転可能である左側及び右側のハンドル部材と、
横方向に離間した左側及び右側の折り畳み組立体であって、該折り畳み組立体の各々が、枢動部材に回転可能に結合された第１の回転可能部材と第２の回転可能部材とを有し、前記第１の回転可能部材が第１の歯車を備えた第１の開口を有し、前記第２の回転可能部材が第２の歯車を備えた第２の開口を有し、前記左側及び右側の折り畳み組立体の各々が更に、前記第１の回転可能部材と前記第２の回転可能部材がギア連動して相対的に回転するように前記第１の歯車及び第２の歯車と駆動係合して前記第１及び第２の開口の両方に位置付けられた第３の歯車を有し、前記枢動部材が、対応する側の前記前輪支持体、後輪支持体、及びハンドル部材のうちの１つにおける前記端部によって支持されて前記第１及び第２の部材が共通の回転軸の周りを回転し、対応する側の前記前輪支持体、後輪支持体、及びハンドル部材のうちの別の１つにおける前記端部が前記第１の回転可能部材に取り付けられ、対応する側の前記前輪支持体、後輪支持体、及びハンドル部材のうちの更に別の１つにおける前記端部が前記第２の回転可能部材に取り付けられた左側及び右側の折り畳み組立体と、
を備える折り畳み可能なベビーカー・フレーム。
【請求項７】
各前記左側及び右側の折り畳み組立体に関して、前記第１の歯車が前記第１の開口を定める前記第１の回転可能部材の第１の縁部に形成され、前記第２の歯車が前記第２の開口を定める前記第２の回転可能部材の第２の縁部に形成される請求項６に記載の折り畳み可能なベビーカー・フレーム。
【請求項８】
前記第１及び第２の縁部が、互いから半径方向に離れていることを特徴とする請求項７に記載の折り畳み可能なベビーカー・フレーム。
【請求項９】
前記第１の開口及び前記第２の開口が細長であり、少なくとも部分的に重なることを特徴とする請求項８に記載の折り畳み可能なベビーカー・フレーム。
【請求項１０】
前記第１の歯車が第１のピッチ円直径を有し、前記第２の歯車が、前記第１のピッチ円直径と同じではない第２のピッチ円直径を有する請求項８に記載の折り畳み可能なベビーカー・フレーム。
【請求項１１】
前記第１の歯車の第１のピッチ円直径が、前記第１の回転可能部材に取り付けられる前記前輪支持体、後輪支持体、及びハンドル部材のうちの１つを前記折り畳み可能なベビーカー・フレームの折り畳み位置から展開位置まで第１の回転角度で回転させるような大きさにされ、前記第２の歯車の第２のピッチ円直径が、前記第２の回転可能部材に取り付けられる前記前輪支持体、後輪支持体、及びハンドル部材のうちの１つを前記折り畳み可能なベビーカー・フレームの折り畳み位置から展開位置まで前記第１の回転角度とは同じではない第２の回転角度で回転させるような大きさにされていることを特徴とする請求項１０に記載の折り畳み可能なベビーカー・フレーム。
【請求項１２】
前記第１の歯車が第１のピッチを有し、前記第２の歯車が前記第１のピッチとは異なる第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転し、前記第３の歯車の第１の歯車部分が前記第１の歯車と駆動係合して前記第１の開口に位置付けられ、前記第３の歯車の第２の歯車部分が前記第２の歯車と駆動係合して前記第２の開口に位置付けられることを特徴とする請求項６に記載の折り畳み可能なベビーカー・フレーム。
【請求項１３】
前輪支持体と、後輪支持体と、ハンドル部材とを有するベビーカー・フレーム用の折り畳み組立体であって、
枢動部材と、
第１の歯車を有する第１の開口を備えた第１の回転可能部材と、
第２の歯車を有する第２の開口を備えた第２の回転可能部材であって、前記第１及び第２の回転可能部材が前記枢動部材に結合されて共通の回転軸の周りを回転する第２の回転可能部材と、
前記第１の回転部材と前記第２の回転部材がギア連動して相対的に回転するように前記第１の歯車及び前記第２の歯車と駆動係合して前記第１及び第２の開口の両方に位置付けられた第３の歯車であって、前記枢動部材が、前記前輪支持体、後輪支持体、及びハンドル部材のうちの１つによって支持係合されるように構成され、前記第１の回転可能部材が、前記前輪支持体、後輪支持体、及びハンドル部材のうちの別の１つに取り付けられるように構成され、前記第２の回転可能部材が、前記前輪支持体、後輪支持体、及びハンドル部材のうちの更に別の１つに取り付けられるように構成された第３の歯車と、
を備える折り畳み組立体。
【請求項１４】
前記第１の歯車が、前記第１の開口を定める前記第１の回転部材の第１の縁部に形成され、前記第２の歯車が、前記第２の開口を定める前記第２の回転部材の第２の縁部に形成される請求項１３に記載の折り畳み組立体。
【請求項１５】
前記第１及び第２の縁部が、互いから半径方向に離れていることを特徴とする請求項１４に記載の折り畳み組立体。
【請求項１６】
前記第１の開口及び前記第２の開口が細長であり、少なくとも部分的に重なることを特徴とする請求項１４に記載の折り畳み組立体。
【請求項１７】
前記第１の歯車が第１のピッチ円直径を有し、前記第２の歯車が、前記第１のピッチ円直径と同じではない第２のピッチ円直径を有する請求項１６に記載の折り畳み組立体。
【請求項１８】
前記第１の歯車の第１のピッチ円直径は、前記第１の回転可能部材が取り付けられるように構成された前記前輪支持体、後輪支持体、及びハンドル部材のうちの１つを前記折り畳み可能なベビーカー・フレームの折り畳み位置から展開位置まで第１の回転角度で回転させるような大きさにされ、前記第２の歯車の第２のピッチ円直径は、前記第２の回転可能部材が取り付けられるように構成された前記前輪支持体、後輪支持体、及びハンドル部材のうちの１つを前記折り畳み可能なベビーカー・フレームの折り畳み位置から展開位置まで前記第１の回転角度とは同じではない第２の回転角度で回転させるような大きさにされていることを特徴とする請求項１７に記載の折り畳み組立体。
【請求項１９】
前記第１の歯車が第１のピッチを有し、前記第２の歯車が前記第１のピッチとは異なる第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転し、前記第３の歯車の第１の歯車部分が前記第１の歯車と駆動係合して前記第１の細長い開口に位置付けられ、前記第３の歯車の第２の歯車部分が前記第２の歯車と駆動係合して前記第２の細長い開口に位置付けられることを特徴とする請求項１３に記載の折り畳み組立体。
【請求項２０】
前記第１の歯車が第１のピッチを有し、前記第２の歯車が前記第１のピッチとは異なる第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転し、前記第３の歯車の第１の歯車部分が前記第１の歯車と駆動係合して前記第１の開口に位置付けられ、前記第３の歯車の第２の歯車部分が前記第２の歯車と駆動係合して前記第２の開口に位置付けられることを特徴とする請求項１３に記載の折り畳み組立体。
【請求項２１】
少なくとも１つの前輪と少なくとも１つの後輪と共に使用する折り畳み可能なベビーカー・フレームにおいて、
各々が第１の端部と第２の端部とを有する横方向に離間した左側及び右側の第１の部材と、
各々が第１の端部と第２の端部とを有する横方向に離間した左側及び右側の第２の部材と、
横方向に離間した左側及び右側の第３の部材であって、前記第３の部材の各々が第１の端部と第２の端部とを有し、前記第１の部材の第１の端部の少なくとも１つが、前記少なくとも１つの前輪を装着するように構成された装着部分を有し、前記第２の部材の第１の端部の少なくとも１つが、前記少なくとも１つの後輪を装着するように構成された装着部分を有し、前記第３の部材の第１の端部の少なくとも１つがハンドル部分を有する第３の部材と、
横方向に離間した左側及び右側の折り畳み組立体であって、該折り畳み組立体の各々が、枢動部材に回転可能に装着されて平行面で共通の軸の周りを回転する第１の回転可能プレートと第２の回転可能プレートとを有し、前記第１の回転可能プレートが第１の歯車を備えた第１の開口を有し、前記第２の回転可能プレートが第２の歯車を備えた第２の開口を有し、前記左側及び右側の折り畳み組立体の各々が更に、前記第１の回転可能プレート及び前記第２の回転可能プレートがギア連動して相対的に回転するように前記第１の歯車及び前記第２の歯車と駆動係合して前記第１及び第２の開口の両方に位置付けられた第３の歯車を有し、前記第１、第２、及び第３の部材のうちの第１のものの第２の端部の１つが前記第１の回転可能プレートに取り付けられ、前記第１、第２、及び第３の部材のうちの別の第２のものの第２の端部の１つが前記第２の回転可能プレートに取り付けられ、前記第１、第２、及び第３の部材のうちの更に別の第３のものの第２の端部の１つが前記枢動部材を支持する折り畳み組立体と、
を備える折り畳み可能なベビーカー・フレーム。
【請求項２２】
各前記左側及び右側の折り畳み組立体において、前記第１の歯車が前記第１の開口を定める前記第１の回転可能プレートの第１の縁部に形成され、前記第２の歯車が第２の開口を定める前記第２の回転可能プレートの第２の縁部に形成される請求項２１に記載の折り畳み可能なベビーカー・フレーム。
【請求項２３】
前記第１及び第２の回転可能プレートが各々中央部分を有し、該中央部分が対面並置で配置されることを特徴とする請求項２２に記載の折り畳み可能なベビーカー・フレーム。
【請求項２４】
前記第１及び第２の縁部が、互いから半径方向に離れていることを特徴とする請求項２２に記載の折り畳み可能なベビーカー・フレーム。
【請求項２５】
前記第１及び第２の回転可能プレートが各々、該プレートから突出して共平面関係にある平坦なアーム部分を有し、前記第１の回転可能プレートに取り付けられた第２の端部の１つが前記アーム部分に取り付けられ、前記第２の回転可能プレートに取り付けられた第２の端部の１つが前記アームに取り付けられることを特徴とする請求項２１に記載の折り畳み可能なベビーカー・フレーム。
【請求項２６】
前記第１の歯車が第１のピッチ円直径を有し、前記第２の歯車が前記第１のピッチ円直径と同じではない第２のピッチ円直径を有する請求項２１に記載の折り畳み式ベビーカー・フレーム。
【請求項２７】
前記第１の歯車の第１のピッチ円直径が、前記第１の回転可能プレートに取り付けられる前記第１、第２、及び第３の部材のうちの１つを前記折り畳み可能なベビーカー・フレームの折り畳み位置から展開位置まで第１の回転角度で回転させるような大きさにされ、前記第２の歯車の第２のピッチ円直径が、前記第２の回転可能プレートに取り付けられる前記第１、第２、及び第３の部材のうちの１つを前記折り畳み可能なベビーカー・フレームの折り畳み位置から展開位置まで前記第１の回転角度とは同じではない第２の回転角度で回転させるような大きさにされていることを特徴とする請求項２６に記載の折り畳み可能なベビーカー・フレーム。
【請求項２８】
前記第１及び第２の回転可能プレートが、平行に離間した回転面を通る前記共通の軸の周りを回転するように回転可能に取り付けられ、前記共通の軸が前記第１及び第２の回転可能プレートに対して直角であり、前記第３の歯車が、前記第１及び第２の回転可能プレートの回転面に対して直角で且つ前記第１及び第２の回転可能プレートの共通の軸から離間している軸の周りを回転するように回転可能に取り付けられることを特徴とする請求項２１に記載の折り畳み可能なベビーカー・フレーム。
【請求項２９】
前記第１及び第２の回転可能プレートが各々、該プレートから突出して共平面関係にあり、前記第１及び第２の回転可能プレートのそれぞれの平行に離間した回転面で前記第１及び第２の回転可能プレートと共に回転可能な平坦なアーム部分を有し、前記第１の回転可能プレートに取り付けられる第２の端部の１つが前記アーム部分に取り付けられ、前記第２の回転可能プレートに取り付けられる第２の端部の１つが前記アームに取り付けられることを特徴とする請求項２８に記載の折り畳み可能なベビーカー・フレーム。
【請求項３０】
前記第３の歯車が、前記第１及び第２の回転可能プレートの共通の軸に対し平行に離間した軸の周りを回転するように回転可能に装着された請求項２１に記載の折り畳み可能なベビーカー・フレーム。
【請求項３１】
前記第１及び第２の回転可能プレートは、前記第１及び第２の歯車が平行な回転面内にある状態で前記共通の軸の周りを回転するように回転可能に装着された請求項３０に記載の折り畳み可能なベビーカー・フレーム。
【請求項３２】
各前記左側及び右側の折り畳み組立体において、前記第１の歯車が第１の開口を定める前記第１の回転可能プレートの第１の縁部に形成され、前記第２の歯車が第２の開口を定める前記第２の回転可能プレートの第２の縁部に形成され、前記第１の縁部が、前記第３の歯車の軸の半径方向外側にあり、前記第２の縁部が、前記第３の歯車の軸の半径方向内側にあることを特徴とする請求項３０に記載の折り畳み可能なベビーカー・フレーム。
【請求項３３】
前記第１の歯車が第１のピッチを有し、前記第２の歯車が前記第１のピッチとは異なる第２のピッチを有し、前記第３の歯車が、前記第１のピッチを備えた第１の歯車部分と、前記第２のピッチを備えた第２の歯車部分とを含み、前記第３の歯車の前記第１及び第２の部分が一体として回転し、前記第３の歯車の第１の歯車部分が、前記第１の歯車と駆動係合して前記第１の開口に位置付けられ、前記第３の歯車の第２の歯車部分が前記第２の歯車と駆動係合して前記第２の開口に位置付けられることを特徴とする請求項２１に記載の折り畳み式ベビーカー・フレーム。
【請求項３４】
第１、第２、及び第３のフレーム部材を有する折り畳み可能な装置に使用できる折り畳み機構であって、
相対的に回転するように回転可能に装着された第１及び第２の回転可能部材を有する折り畳み組立体を備え、
前記第１の回転可能部材が第１の回転面で回転するように位置付けられ、前記第２の回転可能部材が前記第１の回転面から離間した第２の回転面で回転するように位置付けられ、前記第１の回転可能部材が第１の歯車部分を有し、前記第２の回転可能部材が第２の歯車部分を有し、前記折り畳み組立体が更に、前記離間した第１及び第２の回転面の間に延びて、前記第１の回転可能部材と前記第２の回転可能部材がギア連動して相対的に回転するように前記第１及び第２の歯車部分の両方と駆動係合して配置された第３の歯車を更に有し、前記第１の回転可能部材は前記第１、第２、及び第３のフレーム部材のうちの第１のものに取り付けるように構成され、前記第２の回転可能部材は前記第１、第２、及び第３のフレーム部材のうちの別の第２のものに取り付けるように構成され、前記第３の歯車は前記第１、第２、及び第３のフレーム部材のうちの更に別の第３のものによって支持されるように構成されていることを特徴とする折り畳み機構。
【請求項３５】
前記第１の回転可能部材が第１の開口を有し、前記第１の歯車部分が前記第１の開口を定める前記第１の回転可能部材の第１の縁部に形成され、前記第２の回転可能部材が第２の開口を有し、前記第２の歯車部分が前記第２の開口を定める前記第２の回転可能部材の第２の縁部に形成され、前記第３の歯車が前記第１及び第２の開口の両方に位置付けられることを特徴とする請求項３４に記載の折り畳み機構。
【請求項３６】
前記第１及び第２の回転可能部材が各々面部分を有し、該面部分が対面並置で配置されていることを特徴とする請求項３５に記載の折り畳み機構。
【請求項３７】
前記第１及び第２の縁部が、互いから半径方向に離れていることを特徴とする請求項３５に記載の折り畳み機構。
【請求項３８】
前記第１の回転可能部材が前記第１の歯車部分を備えた第１の開口を有し、前記第２の回転可能部材が前記第２の歯車部分を備えた第２の開口を有し、前記第１の開口及び前記第２の開口が細長であり、前記細長い第１及び第２の開口が少なくとも部分的に重なり、前記第３の歯車が前記第１及び第２の開口の両方の重なり部分に位置付けられることを特徴とする請求項３４に記載の折り畳み機構。
【請求項３９】
前記第１の歯車部分が、前記第１の開口を定める前記第１の回転部材の第１の縁部に形成され、前記第２の歯車部分が、前記第２の開口を定める前記第２の回転部材の第２の縁部に形成される請求項３８に記載の折り畳み機構。
【請求項４０】
前記第１及び第２の縁部が、互いから半径方向に離れていることを特徴とする請求項３９に記載の折り畳み機構。
【請求項４１】
前記第１の縁部が前記第１の開口の細長い外側縁に位置付けられ、前記第２の縁部が前記第２の開口の細長い内側縁に位置付けられる請求項４０に記載の折り畳み機構。
【請求項４２】
前記第１の歯車部分が第１のピッチ円直径を有し、前記第２の歯車部分が前記第１のピッチ円直径と同じではない第２のピッチ円直径を有する請求項３４に記載の折り畳み機構。
【請求項４３】
折り畳み位置と展開位置との間で移動できる折り畳み可能な装置と共に使用する請求項４２に記載の折り畳み機構であって、
前記第１の歯車部分の第１のピッチ円直径は、前記第１の回転可能部材に取り付けられたときに前記第１、第２、及び第３のフレーム部材のうちの１つを前記折り畳み可能な装置のフレームの折り畳み位置から展開位置まで第１の回転角度で回転させるような大きさにされ、前記第２の歯車部分が、前記第２の回転可能部材に取り付けられたときに前記第１、第２、及び第３のフレーム部材のうちの１つを前記折り畳み可能な装置のフレームの折り畳み位置から展開位置まで前記第１の回転角度とは同じではない第２の回転角度で回転させるような大きさにされることを特徴とする折り畳み機構。
【請求項４４】
前記第１及び第２の回転可能部材が、平行な第１及び第２の回転面で回転するように位置付けられ、前記第１及び第２の回転可能部材が、前記離間した平行な第１及び第２の回転面を通る共通の回転軸の周りで対称回転を行うように枢動部材上に回転可能に装着され、前記共通の軸が前記第１及び第２の回転可能部材に直角であり、前記第３の歯車が、前記第１及び第２の回転可能部材の前記第１及び第２の回転面に直角で且つ前記第１及び第２の回転可能部材の前記共通の軸から外側に離間した軸の周りを回転するように回転可能に装着されたことを特徴とする請求項３４に記載の折り畳み機構。
【請求項４５】
前記第１及び第２の回転可能部材が、それぞれ第１及び第２の回転可能プレートである請求項４４に記載の折り畳み機構。
【請求項４６】
前記第１及び第２の回転可能プレートが各々、該プレートから突出して共平面関係にあり、前記第１及び第２の回転可能プレートのそれぞれの平行に離間した回転面で前記第１及び第２の回転可能プレートと共に回転可能な平坦なアーム部分を有し、前記第１の回転可能プレートのアーム部分が、前記第１、第２、及び第３のフレーム部材のうちの第１のものに取り付けられるように構成され、前記第２の回転可能プレートのアーム部分が、前記第１、第２、及び第３のフレーム部材のうちの別の第２のものに取り付けられるように構成されることを特徴とする請求項４５に記載の折り畳み機構。
【請求項４７】
前記第１及び第２の回転可能部材が、共通の回転軸の周りを回転するように枢動部材に回転可能に装着され、前記第３の歯車が、前記第１及び第２の回転可能部材の前記共通の軸に対して平行に離間した軸の周りを回転するように回転可能に装着された請求項３４に記載の折り畳み機構。
【請求項４８】
前記第１及び第２の回転可能部材が、前記第１及び第２の歯車部分が平行な回転面にある状態で前記共通の軸の周りを回転するように装着された請求項４７に記載の折り畳み機構。
【請求項４９】
前記第１の歯車部分が、前記第１の回転可能部材の第１の開口を部分的に定める前記第１の回転可能部材の第１の縁部に形成され、前記第２の歯車部分が、前記第２の回転可能部材の第２の開口を部分的に定める前記第２の回転可能部材の第２の縁部に形成され、前記第１の縁部が前記第３の歯車の軸の半径方向外側にあり、前記第２の縁部が前記第３の歯車の軸の半径方向内側にあることを特徴とする請求項４７に記載の折り畳み機構。
【請求項５０】
前記第１の歯車部分が第１のピッチを有し、第２の歯車部分が前記第１のピッチとは異なる第２のピッチを有し、前記第３の歯車が、前記第１のピッチを備えた第３の歯車部分と、前記第２のピッチを備えた第４の歯車部分とを含み、前記第３の歯車の前記第３及び第４の歯車部分が一体として回転し、前記第３の歯車の前記第３の歯車部分が前記第１の歯車部分と駆動係合して前記第１の開口に位置付けられ、前記第３の歯車の前記第４の歯車部分が前記第２の歯車部分と駆動係合して前記第２の開口に位置付けられることを特徴とする請求項３４に記載の折り畳み機構。
【請求項５１】
前記第３の歯車の第３の歯車部分が第１のピニオンギアであり、前記第３の歯車の第４の歯車部分が第２のピニオンギアであり、前記第１及び第２のピニオンギアが同軸上に配置されていることを特徴とする請求項５０に記載の折り畳み機構。
【請求項５２】
前記第１及び第２のピニオンギアが単一部品である請求項５１に記載の折り畳み機構。
【請求項５３】
前記第１及び第２のピニオンギアが、一体として回転するように構成された２つの部品である請求項５１に記載の折り畳み機構。
【請求項５４】
第１、第２、及び第３のフレーム部材を有する折り畳み可能な装置に使用できる折り畳み機構において、
相対的に回転するように回転可能に装着された第１及び第２の回転可能部材を有する折り畳み組立体を備え、
前記第１の回転可能部材が第１の回転面で回転するように位置付けられ、前記第２の回転可能部材が前記第１の回転面と離間した第２の回転面で回転するように位置付けられ、前記第１の回転可能部材が第１の歯車を有し、前記第２の回転可能部材が第２の歯車を有し、前記折り畳み組立体が更に、一体として共に回転するように構成された第３の歯車と第４の歯車とを有し、前記第３の歯車が前記第１の歯車と駆動係合して位置付けられ、且つ前記第４の歯車が前記第２の歯車と駆動係合して位置付けられて前記第１の回転可能部材と前記第２の回転可能部材とがギア連動して相対的に回転するようになり、前記第１の回転可能部材が前記第１、第２、及び第３のフレーム部材のうちの第１のものに取り付けられるように構成され、前記第２の回転可能部材が前記第１、第２、及び第３のフレーム部材のうちの別の第２のものに取り付けられるように構成され、前記第３及び第４の歯車が前記第１、第２、及び第３のフレーム部材のうちの更に別の第３のものに支持されるように構成されていることを特徴とする折り畳み機構。
【請求項５５】
前記第１の歯車が第１のピッチを有し、前記第２の歯車が第１のピッチとは異なる第２のピッチを有し、前記第３の歯車が、前記第１の歯車の第１のピッチと一致する第３のピッチを有し、前記第４の歯車が、前記第２の歯車の第２のピッチと一致する第４のピッチを有することを特徴とする請求項５４に記載の折り畳み機構。
【請求項５６】
前記第１の回転可能部材が第１の開口を有し、前記第１の歯車が前記第１の開口を定める前記第１の回転可能部材の第１の縁部に形成され、前記第２の回転可能部材が第２の開口を有し、前記第２の歯車が前記第２の開口を定める前記第２の回転可能部材の第２の縁部に形成され、前記第３の歯車が前記第１の開口に位置付けられ、前記第４の歯車が前記第２の開口に位置付けられることを特徴とする請求項５５に記載の折り畳み機構。
【請求項５７】
前記第１及び第２の縁部が、互いから半径方向に離れていることを特徴とする請求項５６に記載の折り畳み機構。
【請求項５８】
前記第１及び第２の回転可能部材が各々面部分を有し、該面部分が対面並置で配置されていることを特徴とする請求項５４に記載の折り畳み機構。
【請求項５９】
前記第１及び第２の回転可能部材が、共通の回転軸の周りを回転するように枢動部材上に回転可能に装着され、前記第３及び第４の歯車が、前記第１及び第２の回転可能部材の共通の軸に対して平行に離間した軸の周りを回転するように同軸に装着されていることを特徴とする請求項５４に記載の折り畳み機構。
【請求項６０】
前記第３の歯車が第１の数の歯車の歯を有し、前記第４の歯車が前記第１の数とは異なる第２の数の歯車の歯を有し、前記第３の歯車が前記第１の歯車のピッチと一致するピッチを有し、前記第４の歯車が前記第２の歯車のピッチと一致するピッチを有することを特徴とする請求項５４に記載の折り畳み機構。
【請求項６１】
前輪支持体と、後輪支持体と、ハンドル部材とを有するベビーカー・フレーム用の折り畳み組立体において、
枢動部材と、
第１の開口と前記第１の開口に位置する第１の歯車とを有する第１の回転可能部材と、
第２の歯車を有する第２の回転可能部材であって、前記第１及び第２の回転可能部材が前記枢動部材に回転可能に結合されて、離間した第１及び第２の回転面でそれぞれ共通の回転軸の周りを回転する第２の回転可能部材と、
前記第１の回転部材と前記第２の回転部材がギア連動して相対的に回転するように前記第１の歯車及び前記第２の歯車と駆動係合して位置付けられた第３の歯車であって、前記枢動部材が、前記前輪支持体、後輪支持体、及びハンドル部材のうちの１つによって支持係合されるように構成され、前記第１の回転可能部材が、前記前輪支持体、後輪支持体、及びハンドル部材のうちの別の１つに取り付けられるように構成され、前記第２の回転可能部材が、前記前輪支持体、後輪支持体、及びハンドル部材のうちの更に別の１つに取り付けられるように構成された第３の歯車と、
を備える折り畳み組立体。
【請求項６２】
前記第１及び第２の歯車が互いから半径方向に離れており、前記第３の歯車がこの間に配置されることを特徴とする請求項６１に記載の折り畳み組立体。
【請求項６３】
前記第１の歯車が第１のピッチを有し、前記第２の歯車が前記第１のピッチとは異なる第２のピッチを有し、前記第３の歯車が前記第１のピッチを備えた第１の歯車部分と前記第２のピッチを備えた第２の歯車部分とを含み、前記第３の歯車の前記第１及び第２の部分が一体として回転することを特徴とする請求項６１に記載の折り畳み組立体。